(57)【要約】【課題】物品に対する特別な加工を必要とすることなく、容易に取り付けが可能であり、インレットの脱落を防止したＩＣタグおよびこれを用いた物品の管理方法を提供する。【解決手段】本発明のＩＣタグ１０は、筐体２０が、隣り合う２つの柱状部材のそれぞれに外嵌される一対の外嵌部２１Ａ，２１Ｂと、これら外嵌部の間に介在して、これら外嵌部を連結する連結部２２と、を有し、筐体２０の連結部２２の長手方向に沿う縁の両側に、固定部材５０の連結部５２を嵌合する爪部２３，２３が設けられたことを特徴とする。【選択図】図１
2014106890.tif 000002
【特許請求の範囲】
【請求項１】
少なくとも隣り合う２つの柱状部材を備えてなる物品に取り付けられ、前記２つの柱状部材の間を架け渡して配置される筐体と、該筐体の一方の面側に配置され、ＩＣチップおよび該ＩＣチップと電気的に接続されたアンテナを有するインレットと、前記２つの柱状部材の間を架け渡して配置されるとともに、前記筐体に対して前記インレットを固定するために、前記筐体に対向して配置される固定部材と、を具備してなり、
前記筐体は、互いに離隔して設けられ、前記２つの柱状部材のそれぞれに外嵌される一対の外嵌部と、該一対の外嵌部の間に介在してこれらの外嵌部を連結する連結部と、を有し、
前記筐体の連結部または前記固定部材における前記連結部と対向する部分の一方の長手方向に沿う縁の両側に、前記筐体の連結部または前記固定部材における前記連結部と対向する部分の他方を嵌合する爪部が設けられたことを特徴とするＩＣタグ。
【請求項２】
少なくとも隣り合う２つの柱状部材を備えてなる物品に、ＩＣタグが取り付けられ、前記物品が個別に管理される物品の管理方法であって、
少なくとも隣り合う２つの柱状部材を備えてなる物品に取り付けられ、前記２つの柱状部材の間を架け渡して配置される筐体と、該筐体の一方の面側に配置され、ＩＣチップおよび該ＩＣチップと電気的に接続されたアンテナを有するインレットと、前記２つの柱状部材の間を架け渡して配置されるとともに、前記筐体に対して前記インレットを固定するために、前記筐体に対向して配置される固定部材と、を具備してなり、
前記筐体は、互いに離隔して設けられ、前記２つの柱状部材のそれぞれに外嵌される一対の外嵌部と、該一対の外嵌部の間に介在してこれらの外嵌部を連結する連結部と、を有し、
前記筐体の連結部または前記固定部材における前記連結部と対向する部分の一方の長手方向に沿う縁の両側に、前記筐体の連結部または前記固定部材における前記連結部と対向する部分の他方を嵌合する爪部が設けられ、
前記筐体および前記固定部材が前記２つの柱状部材の間を架け渡すように配置され、前記２つの柱状部材に、前記筐体の外嵌部および前記固定部材の外嵌部が外嵌され、かつ、前記筐体の連結部または前記固定部材における前記連結部と対向する部分の一方の長手方向に沿う縁の両側に設けられた爪部に、前記筐体の連結部または前記固定部材における前記連結部と対向する部分の他方が嵌合されて、前記筐体と前記固定部材の間に前記インレットが保持され、
情報読取／書込装置により前記ＩＣタグに対する情報の読取りまたは書込みが非接触にて行われ、前記物品が管理されることを特徴とする物品の管理方法。
【発明の詳細な説明】
【技術分野】
【０００１】
本発明は、ＲＦＩＤ（Ｒａｄｉｏ  Ｆｒｅｑｕｅｎｃｙ  ＩＤｅｎｔｉｆｉｃａｔｉｏｎ）用途の情報記録メディアのように、電波を媒体として外部から情報を受信し、また、外部に情報を送信できるようにしたＩＣタグおよびＩＣタグを用いた物品の管理方法に関するものである。
【背景技術】
【０００２】
ＩＣタグは、基材と、その一方の面に設けられ互いに接続されたアンテナおよびＩＣチップとから構成されるインレットを備えており、情報書込／読出装置からの電波を受信すると共振作用によりアンテナに起電力が発生し、この起電力によりＩＣタグ内のＩＣチップが起動し、このＩＣチップ内の情報を信号化し、この信号がＩＣタグのアンテナから発信される。
このようなＩＣタグは、大量かつ多種類の物品が取り扱われる店舗や倉庫、あるいは、物流の現場において、物品の運搬に用いられるカゴ車などに取り付けられ、店舗や倉庫における物品の管理、物流における物品の管理などにおいて、各物品に関する情報をＩＣチップに記録することによって作業効率の向上や正確な物品の管理を行うことを目的として、利用されつつある。
【０００３】
カゴ車へのＩＣタグの取付構造としては、カゴ車を構成する周壁部の上端フレームに、その上側部分が欠如された形態の凹入部が設けられ、凹入部を覆う状態に上端フレームに装着される非金属製のカバーの内面にＩＣタグを装着するものが知られている（例えば、特許文献１参照）。
【先行技術文献】
【特許文献】
【０００４】
【特許文献１】特開２０１０−１８４１０号公報
【発明の概要】
【発明が解決しようとする課題】
【０００５】
しかしながら、特許文献１に開示されているカゴ車へのＩＣタグの取付構造は、カゴ車に凹入部を設ける必要があるため、既存のカゴ車をそのまま用いることができなかった。また、内面にＩＣタグを装着したカバーを、カゴ車に装着する際、カバーからＩＣタグが脱落するおそれがあった。
【０００６】
本発明は、上記事情に鑑みてなされたものであって、物品に対する特別な加工を必要とすることなく、容易に取り付けが可能であり、かつ、インレットの脱落を防止したＩＣタグおよびＩＣタグを用いた物品の管理方法を提供することを目的とする。
【課題を解決するための手段】
【０００７】
本発明のＩＣタグは、少なくとも隣り合う２つの柱状部材を備えてなる物品に取り付けられ、前記２つの柱状部材の間を架け渡して配置される筐体と、該筐体の一方の面側に配置され、ＩＣチップおよび該ＩＣチップと電気的に接続されたアンテナを有するインレットと、前記２つの柱状部材の間を架け渡して配置されるとともに、前記筐体に対して前記インレットを固定するために、前記筐体に対向して配置される固定部材と、を具備してなり、前記筐体は、互いに離隔して設けられ、前記２つの柱状部材のそれぞれに外嵌される一対の外嵌部と、該一対の外嵌部の間に介在してこれらの外嵌部を連結する連結部と、を有し、前記筐体の連結部または前記固定部材における前記連結部と対向する部分の一方の長手方向に沿う縁の両側に、前記筐体の連結部または前記固定部材における前記連結部と対向する部分の他方を嵌合する爪部が設けられたことを特徴とする。
【０００８】
本発明の物品の管理方法は、少なくとも隣り合う２つの柱状部材を備えてなる物品に、ＩＣタグが取り付けられ、前記物品が個別に管理される物品の管理方法であって、少なくとも隣り合う２つの柱状部材を備えてなる物品に取り付けられ、前記２つの柱状部材の間を架け渡して配置される筐体と、該筐体の一方の面側に配置され、ＩＣチップおよび該ＩＣチップと電気的に接続されたアンテナを有するインレットと、前記２つの柱状部材の間を架け渡して配置されるとともに、前記筐体に対して前記インレットを固定するために、前記筐体に対向して配置される固定部材と、を具備してなり、前記筐体は、互いに離隔して設けられ、前記２つの柱状部材のそれぞれに外嵌される一対の外嵌部と、該一対の外嵌部の間に介在してこれらの外嵌部を連結する連結部と、を有し、前記筐体の連結部または前記固定部材における前記連結部と対向する部分の一方の長手方向に沿う縁の両側に、前記筐体の連結部または前記固定部材における前記連結部と対向する部分の他方を嵌合する爪部が設けられ、前記筐体および前記固定部材が前記２つの柱状部材の間を架け渡すように配置され、前記２つの柱状部材に、前記筐体の外嵌部および前記固定部材の外嵌部が外嵌され、かつ、前記筐体の連結部または前記固定部材における前記連結部と対向する部分の一方の長手方向に沿う縁の両側に設けられた爪部に、前記筐体の連結部または前記固定部材における前記連結部と対向する部分の他方が嵌合されて、前記筐体と前記固定部材の間に前記インレットが保持され、情報読取／書込装置により前記ＩＣタグに対する情報の読取りまたは書込みが非接触にて行われ、前記物品が管理されることを特徴とする。
【発明の効果】
【０００９】
本発明のＩＣタグによれば、少なくとも隣り合う２つの柱状部材を備えてなる物品に取り付けられ、２つの柱状部材の間を架け渡して配置される筐体と、筐体の一方の面側に配置されたアンテナを有するインレットを筐体に対して固定するために、筐体に対向して配置される固定部材と、を具備し、筐体の連結部または固定部材における連結部と対向する部分の一方の長手方向に沿う縁の両側に、筐体の連結部または固定部材における連結部と対向する部分の他方を嵌合する爪部が設けられているので、筐体と固定部材の間にインレットが固定され、物品へのＩＣタグの取り付け作業時に、筐体からインレットが脱落することがない。したがって、物品に対して、ＩＣタグを容易に取り付けることができる。
【００１０】
本発明の物品の管理方法によれば、ＩＣタグを取り付けた物品を正確に管理することができるとともに、その作業効率を向上することができる。また、本発明の物品の管理方法によれば、外観がほぼ等しく、一見しただけでは見分けのつき難い物品を多数重ね置きした場合にも、それぞれの物品を確実に識別して、個別に管理することができる。
【図面の簡単な説明】
【００１１】
【図１】本発明のＩＣタグの第一の実施形態を示す概略斜視図である。
【図２】本発明のＩＣタグの第一の実施形態の一部を示す概略斜視図である。
【図３】本発明のＩＣタグの第一の実施形態の一部を示す概略斜視図である。
【図４】本発明のＩＣタグの第一の実施形態の使用方法を示し、ＩＣタグをカゴ車に取り付けた状態を示す概略斜視図である。
【図５】本発明のＩＣタグの第一の実施形態の使用方法を示す概略斜視図である。
【図６】本発明のＩＣタグの第二の実施形態を示す概略斜視図である。
【図７】本発明のＩＣタグの第二の実施形態の一部を示す概略斜視図である。
【図８】本発明のＩＣタグの第二の実施形態の一部を示す概略斜視図である。
【図９】本発明のＩＣタグの第三の実施形態を示す概略斜視図である。
【図１０】本発明のＩＣタグの第四の実施形態を示す概略斜視図である。
【図１１】本発明のＩＣタグの第五の実施形態を示す概略斜視図である。
【図１２】本発明のＩＣタグの第六の実施形態を示す概略斜視図である。
【図１３】本発明のＩＣタグの第七の実施形態を示す概略斜視図である。
【図１４】本発明のＩＣタグの第八の実施形態を示す概略斜視図である。
【図１５】本発明のＩＣタグの第九の実施形態を示す概略斜視図である。
【図１６】本発明のＩＣタグの第十の実施形態を示す概略斜視図である。
【図１７】筐体と固定部材の嵌合構造の一例を示す概略断面図である。
【図１８】筐体と固定部材の嵌合構造の他の例を示す概略断面図である。
【図１９】筐体と固定部材の嵌合構造の他の例を示す概略断面図である。
【図２０】筐体と固定部材の嵌合構造の他の例を示す概略断面図である。
【発明を実施するための形態】
【００１２】
本発明のＩＣタグおよびＩＣタグを用いた物品の管理方法の実施の形態について説明する。
なお、本実施の形態は、発明の趣旨をより良く理解させるために具体的に説明するものであり、特に指定のない限り、本発明を限定するものではない。
【００１３】
（１）第一の実施形態
図１は、本発明のＩＣタグの第一の実施形態を示す概略斜視図である。図２は、本発明のＩＣタグの第一の実施形態の一部を示す概略斜視図である。図３は、本発明のＩＣタグの第一の実施形態の一部を示す概略斜視図である。図４は、本発明のＩＣタグの第一の実施形態の使用方法を示し、ＩＣタグをカゴ車に取り付けた状態を示す概略斜視図である。図５は、本発明のＩＣタグの第一の実施形態の使用方法を示す概略斜視図である。
本実施形態のＩＣタグ１０は、筐体２０と、筐体２０の一方の面２０ａ側に配置され、ＩＣチップ４１およびＩＣチップ４１と電気的に接続されたアンテナ４２を有するインレット４０と、筐体２０に対してインレット４０を固定するための固定部材５０とから概略構成されている。
このＩＣタグ１０は、例えば、図４に示すようなカゴ車６０に取り付けられて用いられる。本実施形態では、ＩＣタグ１０がカゴ車６０に取り付けられた場合について説明する。
【００１４】
インレット４０は、平面視長方形状をなすフィルム状またはシート状の基材４３と、ＩＣチップ４１と、アンテナ４２とから概略構成されている。また、ＩＣチップ４１およびアンテナ４２は、基材４３の一方の面４３ａに設けられ、互いに電気的に接続されている。また、アンテナ４２は、互いに対向し、その対向する側にそれぞれ給電点（ＩＣチップ４１と接続する部分）を有する一対の放射素子４４，４４から構成されるダイポールアンテナである。
アンテナ４２は、非接触ＩＣカードなどの非接触ＩＣモジュールに利用できる極超短波帯〈ＵＨＦ〉やマイクロ波帯の電波帯の周波数（３００ＭＨｚ〜３０ＧＨｚ）の１／２波長に相当する長さとなっている。すなわち、放射素子４４，４４の長手方向における長さは、１／４波長に相当する長さとなっている。
【００１５】
インレット４０の基材４３における、筐体２０の一方の面２０ａ（連結部２２の一方の面２２ａ）に配置される部分（本実施形態では、基材４３の中央部）には、その長手方向に沿う一方の側面４３ｃを基端として、基材４３の長手方向と垂直に、外側に突出するように、一対の平面視長方形状の突条部（嵌合部）４３ｄ，４３ｄが間隔を隔てて設けられている。これにより、一対の突条部（嵌合部）４３ｄ，４３ｄの間、すなわち、基材４３の長手方向の中央部には、基材４３の長手方向（すなわち、筐体２０の連結部２２の長手方向）と垂直に、内側に窪む、平面視長方形状の嵌合凹部（嵌合部）４３ｅが形成されている。突条部（嵌合部）４３ｄ，４３ｄは、連結部２２の長手方向と垂直な中心線を介して対称な位置に対応する位置に設けられている。
【００１６】
同様に、インレット４０の基材４３における、筐体２０の一方の面２０ａ（連結部２２の一方の面２２ａ）に配置される部分（本実施形態では、基材４３の中央部）には、その長手方向に沿う他方の側面４３ｆを基端として、基材４３の長手方向と垂直に、外側に突出するように、一対の平面視長方形状の突条部（嵌合部）４３ｇ，４３ｇが間隔を隔てて設けられている。これにより、一対の突条部（嵌合部）４３ｇ，４３ｇの間、すなわち、基材４３の長手方向の中央部には、基材４３の長手方向（すなわち、筐体２０の連結部２２の長手方向）と垂直に、内側に窪む、平面視長方形状の嵌合凹部（嵌合部）４３ｈが形成されている。突条部（嵌合部）４３ｇ，４３ｇは、連結部２２の長手方向と垂直な中心線を介して対称な位置に対応する位置に設けられている。
さらに、嵌合凹部（嵌合部）４３ｅと嵌合凹部（嵌合部）４３ｈは、連結部２２の長手方向と平行な中心線を介して対称な位置に設けられている。
【００１７】
ＩＣタグ１０が取り付けられるカゴ車６０としては、例えば、図４に示すものが挙げられる。
カゴ車６０は、物品を載置支持する平面視長方形状の載置台６１と、その載置台６１における四辺のうちの三辺を基端として立設され、かつ、上端箇所に水平方向に沿う長尺状の上端フレーム６２Ａ，６３Ａ，６４Ａを有し、全体として格子状に形成された周壁部６２，６３，６４と、載置台６１よりも下方、かつ、載置台６１の四隅に配置された複数の車輪６５とから概略構成されている。
カゴ車６０は、載置台６１の四隅に設けられた車輪６５により手押し可能となっている。
【００１８】
載置台６１は、その後端部（載置台６１において、周壁部６２，６３，６４が設けられていない辺側を前端部とした場合、その対向する辺側）が、載置台６１の後端部側に設けられた周壁部６３の下端部に、ヒンジ部材（図示略）を介して横軸心周りに回転自在に支持されている。これにより、載置台６１は、周壁部６３に対して、上方側に折り畳み自在に支持されている。
また、周壁部６３は、その一方の側端部６３Ｂ（図４において右側の側端部）が、ヒンジ部材６６を介して、隣り合う周壁部６４（図４において右側の周壁部６４）の一方の側端部６４Ｂに連結されている。さらに、周壁部６３は、その他方の側端部６３Ｃ（図４において左側の側端部）が、ヒンジ部材６７を介して、隣り合う周壁部６２（図４において左側の周壁部６２）の一方の側端部６２Ｂに連結されている。
【００１９】
また、周壁部６４の一方の側端部６４Ｂが、ヒンジ部材６６を介して、周壁部６３の右側端部（一方の側端部６３Ｂ）に縦軸心周りに回転自在に支持されることにより、周壁部６４が、上方側に折り畳まれた載置台６１を周壁部６３との間で挟んだ状態で折り畳み自在となっている。
【００２０】
つまり、載置台６１は、横軸心周りの揺動操作により水平方向に沿う姿勢の載置姿勢と、上方側に折り畳まれて周壁部６３と重なる垂直方向に沿う格納姿勢とに、姿勢変更自在に構成されている。また、周壁部６４は、縦軸心周りの揺動操作により前後方向に沿う姿勢の使用姿勢と、内方側に折り畳まれて周壁部６３および載置台６１と重なる横幅方向に沿う折畳姿勢とに、姿勢変更自在に構成されている。
【００２１】
カゴ車６０は、載置姿勢の載置台６１を上方側に折り畳んで格納姿勢に姿勢変更させた後、使用姿勢の周壁部６４を内方側に折り畳んで折畳姿勢に姿勢変更させることにより、平面視でＬ字状となるように折り畳むことができる。そして、Ｌ字状に折り畳んだカゴ車６０の内方側や外方側に、他のＬ字状に折り畳んだカゴ車６０を重ねることで、複数のカゴ車６０を省スペースで格納することができるように構成されている。
【００２２】
車輪６５には、車輪本体を遊転自在に支持する支持体６８にロック手段としてのストッパー６９が取り付けられている。ストッパー６９は、車輪６５の転動を許容する傾斜姿勢のロック解除位置と、車輪６５の転動を禁止する水平姿勢のロック位置とに、車輪６５の回転軸心周りに回転自在に取り付けられている。つまり、ストッパー６９は、車輪６５の転動を許容する開放状態と、車輪６５の転動を禁止する禁止状態とに、人為操作にて切り換え操作自在に取り付けられている。
【００２３】
周壁部６２，６３，６４は、金属製、プラスチック製または木製である。周壁部６２，６３，６４は、その外枠（フレーム）をなす上端フレーム６２Ａ，６３Ａ，６４Ａ、および、側端部６２Ｂ，６３Ｂ，６３Ｃ，６４Ｂなどが円柱状（柱状部材）をなしている。
【００２４】
ＩＣタグ１０では、図４および図５に示すように、カゴ車６０に取り付けた場合、筐体２０が、ヒンジ部材６６を介して連結された、隣り合う２つの周壁部６３，６４に対して、それぞれの側端部６３Ｂ，６４Ｂの間を架け渡して配置される。
【００２５】
筐体２０は、互いに離隔して設けられ、かつ、２つの側端部６３Ｂ，６４Ｂのそれぞれに外嵌される一対の外嵌部２１Ａ，２１Ｂ、および、この一対の外嵌部２１Ａ，２１Ｂの間に、外嵌部２１Ａ，２１Ｂに直交するように介在して、これらの外嵌部２１Ａ，２１Ｂを連結する平板状の連結部２２を有している。すなわち、筐体２０は、連結部２２を介して一対の外嵌部２１Ａ，２１Ｂが連結されてなる略亜鈴形状をなしている。
【００２６】
外嵌部２１Ａ，２１Ｂは、筐体２０の幅方向に互いに離隔して設けられた一対の爪部２１ｂ，２１ｂと、この一対の爪部２１ｂ，２１ｂの間に介在して、これらの爪部２１ｂ，２１ｂを連結する連結部２１ｃとから構成されている。なお、筐体２０の幅方向とは、筐体２０の外嵌部２１Ａ，２１Ｂのそれぞれが外嵌されるカゴ車６０の周壁部６３，６４の側端部６３Ｂ，６４Ｂの長手方向に沿う方向である。一方、筐体２０の長手方向とは、筐体２０の外嵌部２１Ａ，２１Ｂのそれぞれが外嵌されるカゴ車６０の周壁部６３，６４の側端部６３Ｂ，６４Ｂの長手方向と垂直な方向である。また、外嵌部２１Ａ，２１Ｂにおける側端部６３Ｂ，６４Ｂと対向する面（以下、「内面」という。）２１ａ，２１ａの形状は、側端部６３Ｂ，６４Ｂの外形に沿った形状、すなわち、円弧状をなしている。
【００２７】
なお、外嵌部２１Ａ，２１Ｂの内面２１ａ，２１ａとは、外嵌部２１Ａ，２１Ｂが側端部６３Ｂ，６４Ｂに外嵌されたとき、爪部２１ｂにおける側端部６３Ｂ，６４Ｂの外周面と対向する面、および、連結部２１ｃにおける側端部６３Ｂ，６４Ｂの外周面と対向する面のことである。また、爪部２１ｂ，２１ｂは、側端部６３Ｂ，６４Ｂの外形（外周面）に沿って、連結部２１ｃよりも長めに設けられており、側端部６３Ｂ，６４Ｂの外周の１／２〜３／４程度を覆う長さをなしている。
【００２８】
これにより、側端部６３Ｂ，６４Ｂのそれぞれに、外嵌部２１Ａ，２１Ｂが外嵌された場合、側端部６３Ｂ，６４Ｂの外周面に対する外嵌部２１Ａ，２１Ｂの内面２１ａ，２１ａの密着性が高くなり、側端部６３Ｂ，６４Ｂに対して、ＩＣタグ１０が強固にクランプ固定される。
【００２９】
筐体２０の連結部２２の長手方向に沿う縁の両側には、連結部２２における側端部６３Ｂ，６４Ｂと対向する面（以下、「一方の面」という。）２２ａ側に突出するように、固定部材５０の連結部５２を嵌合する爪部２３，２３が設けられている。すなわち、爪部２３，２３は対をなしている。
また、爪部２３，２３の端部（固定部材５０を嵌合したとき、固定部材５０側となる端部）は、爪部２３，２３の間隔が、爪部２３の端面２３ａから連結部２２の一方の面２２ａに向かって次第に狭くなるようなテーパー状をなしている。
【００３０】
また、筐体２０の連結部２２の一方の面２２ａには、連結部２２の中央部において、連結部２２の長手方向に延在し、インレット４０の基材４３に設けられた突条部４３ｄ，４３ｄの間に形成された嵌合凹部４３ｅに嵌合する、平面視長方形状の嵌合突起（嵌合部）２４が設けられている。
同様に、筐体２０の連結部２２の一方の面２２ａには、連結部２２の中央部において、連結部２２の長手方向に延在し、インレット４０の基材４３に設けられた突条部４３ｇ，４３ｇの間に形成された嵌合凹部４３ｈに嵌合する、平面視長方形状の嵌合突起（嵌合部）２５が設けられている。すなわち、嵌合突起２４，２５は、嵌合凹部４３ｅ，４３ｈとほぼ形状が等しくなっており、かつ、連結部２２の長手方向と平行な中心線を介して対称な位置に設けられている。
【００３１】
さらに、筐体２０の連結部２２の一方の面２２ａには、その長手方向の両端部において、インレット４０の基材４３の突条部４３ｄ，４３ｄ，４３ｇ，４３ｇに係合する、４つの平面視長方形状の嵌合突起（嵌合部）２６，２６，２７，２７が所定の間隔を置いて突設されている。すなわち、嵌合突起２６，２６が対をなして基材４３の一方の側面４３ｃに外嵌し、嵌合突起２７，２７が対をなして基材４３の他方の側面４３ｆに外嵌する。
嵌合突起２６と嵌合突起２４の間に形成される凹部２８は、インレット４０の基材４３に設けられた突条部４３ｄの外形とほぼ形状が等しくなっている。同様に、嵌合突起２５と嵌合突起２７の間に形成される凹部２９は、インレット４０の基材４３に設けられた突条部４３ｇの外形とほぼ形状が等しくなっている。そして、一対の嵌合突起２６，２６と、一対の嵌合突起２７，２７とが、連結部２２の長手方向と垂直な中心線を介して対称な位置に設けられている。−
【００３２】
固定部材５０は、上述の側端部６３Ｂ，６４Ｂのそれぞれに外嵌される一対の外嵌部５１Ａ，５１Ｂと、この一対の外嵌部５１Ａ，５１Ｂの間に、外嵌部５１Ａ，５１Ｂに直交するように介在して、これらの外嵌部５１Ａ，５１Ｂを連結する平板状の連結部５２とから概略構成されている。すなわち、固定部材５０は、連結部５２を介して一対の外嵌部５１Ａ，５１Ｂが連結されてなる略亜鈴形状をなしている。連結部５２は、筐体２０の連結部２２と大きさ（面積）がほぼ等しくなっている。また、連結部５２の長手方向に沿う２つの側面５２ａ，５２ａは、連結部５２の外面（筐体２０と対向する面とは反対側の面）５２ｂから連結部５２の内面（筐体２０と対向する面）５２ｃに向かって次第に、連結部５２の幅が狭くなるようなテーパー状をなしている。これにより、固定部材５０の連結部５２を、筐体２０の爪部２３，２３に嵌合しやすく、かつ嵌合後の取り外しが困難な形態となっている。
【００３３】
また、固定部材５０の外嵌部５１Ａ，５１Ｂの外形は、筐体２０の外嵌部２１Ａ，２１Ｂに設けられた爪部２１ｂ，２１ｂの間の間隙の形状と等しくなっている。したがって、固定部材５０を筐体２０に固定する際、固定部材５０の連結部５２が、筐体２０の爪部２３，２３に嵌合されるとともに、固定部材５０の外嵌部５１Ａ，５１Ｂが、筐体２０の外嵌部２１Ａ，２１Ｂの爪部２１ｂ，２１ｂの間に嵌合される。そして、筐体２０の外嵌部２１Ａ，２１Ｂと、固定部材５０の外嵌部５１Ａ，５１Ｂとが、上述の側端部６３Ｂ，６４Ｂのそれぞれに外嵌され、カゴ車６０に対してＩＣタグ１０が固定される。
【００３４】
また、筐体２０は、非導電性部材、あるいは、非導電性部材と金属の複合材からなり、連結部２２のうち少なくともインレット３０が配置される領域（以下、「領域α」という。）が非導電性部材で形成されていればよい。したがって、筐体２０は、連結部２２における領域α以外の領域が、非導電性部材、金属、あるいは、非導電性部材と金属の複合材のいずれかで形成されていてもよい。例えば、筐体２０は、連結部２２が非導電性部材からなり、外嵌部２１Ａ，２１Ｂが金属からなっていてもよい。
同様に、固定部材５０は、非導電性部材、あるいは、非導電性部材と金属の複合材からなり、連結部５２のうち少なくともインレット３０が配置される領域（以下、「領域β」という。）が非導電性部材で形成されていればよい。したがって、固定部材５０は、連結部５２における領域β以外の領域が、非導電性部材、金属、あるいは、非導電性部材と金属の複合材のいずれかで形成されていてもよい。例えば、固定部材５０は、連結部５２が非導電性部材からなり、外嵌部５１Ａ，５１Ｂが金属からなっていてもよい。
【００３５】
筐体２０または固定部材５０を構成する非導電性部材としては、特に限定されないが、例えば、ポリエチレンテレフタレート（ＰＥＴ）、ポリブチレンテレフタレート（ＰＢＴ）、ポリエチレンナフタレート（ＰＥＮ）などのポリエステル樹脂；ポリエチレン（ＰＥ）、ポリプロピレン（ＰＰ）などのポリオレフィン樹脂；ポリフッ化ビニル、ポリフッ化ビニリデン、ポリ４フッ化エチレンなどのポリフッ化エチレン系樹脂；ナイロン６、ナイロン６，６などのポリアミド樹脂；ポリ塩化ビニル（ＰＶＣ）、エチレン−酢酸ビニル共重合体、ポリビニルアルコール、ビニロンなどのビニル重合体；ポリメタクリル酸メチル、ポリメタクリル酸エチル、ポリアクリル酸エチル、ポリアクリル酸ブチルなどのアクリル系樹脂；ポリスチレン；ポリカーボネート（ＰＣ）；ポリアリレート；ポリイミド；ガラスエポキシ樹脂などのプラスチックからなる部材などが用いられる。
【００３６】
インレット４０の基材４３としては、ポリエチレンテレフタレート（ＰＥＴ）、グリコール変性ポリエチレンテレフタレート（ＰＥＴ−Ｇ）、ポリブチレンテレフタレート（ＰＢＴ）、ポリエチレンナフタレート（ＰＥＮ）などのポリエステル樹脂からなる基材；ポリエチレン（ＰＥ）、ポリプロピレン（ＰＰ）などのポリオレフィン樹脂からなる基材；ポリフッ化ビニル、ポリフッ化ビニリデン、ポリ４フッ化エチレンなどのポリフッ化エチレン系樹脂からなる基材；ナイロン６、ナイロン６，６などのポリアミド樹脂からなる基材；ポリ塩化ビニル（ＰＶＣ）、エチレン−酢酸ビニル共重合体、ポリビニルアルコール、ビニロンなどのビニル重合体からなる基材；ポリメタクリル酸メチル、ポリメタクリル酸エチル、ポリアクリル酸エチル、ポリアクリル酸ブチルなどのアクリル系樹脂からなる基材；ポリスチレンからなる基材；ポリカーボネート（ＰＣ）からなる基材；ポリアリレートからなる基材；ポリイミドからなる基材；上質紙、薄葉紙、グラシン紙、硫酸紙などの紙からなる基材などが用いられる。
【００３７】
インレット４０のＩＣチップ４１としては、特に限定されず、アンテナ４２を介して非接触状態にて情報の書き込みおよび読み出しが可能なものであれば、非接触型ＩＣタグや非接触型ＩＣラベル、あるいは、非接触型ＩＣカードなどのＲＦＩＤメディアに適用可能なものであればいかなるものでも用いられる。
【００３８】
インレット４０のアンテナ４２は、基材４３の一方の面４３ａに、ポリマー型導電インクを用いて所定のパターンにスクリーン印刷、インクジェット印刷などの印刷法により形成されてなるもの、もしくは、導電性箔をエッチングしてなるもの、金属メッキしてなるものである。
【００３９】
ポリマー型導電インクとしては、例えば、銀粉末、金粉末、白金粉末、アルミニウム粉末、パラジウム粉末、ロジウム粉末、カーボン粉末（カーボンブラック、カーボンナノチューブなど）などの導電微粒子が樹脂組成物に配合されたものが挙げられる。
【００４０】
樹脂組成物として熱硬化型樹脂を用いれば、ポリマー型導電インクは、２００℃以下、例えば、１００〜１５０℃程度でアンテナ４２をなす塗膜を形成することができる熱硬化型となる。アンテナ４２をなす塗膜の電気の流れる経路は、塗膜をなす導電微粒子が互いに接触することにより形成され、この塗膜の抵抗値は１０−５Ω・ｃｍオーダーである。
また、本発明におけるポリマー型導電インクとしては、熱硬化型の他にも、光硬化型、浸透乾燥型、溶剤揮発型といった公知のものが用いられる。
【００４１】
光硬化型のポリマー型導電インクは、光硬化性樹脂を樹脂組成物に含むものであり、硬化時間が短いので、製造効率を向上させることができる。光硬化型のポリマー型導電インクとしては、例えば、熱可塑性樹脂のみ、あるいは、熱可塑性樹脂と架橋性樹脂（特に、ポリエステルとイソシアネートによる架橋系樹脂など）とのブレンド樹脂組成物に、導電微粒子が６０質量％以上配合され、ポリエステル樹脂が１０質量％以上配合されたもの、すなわち、溶剤揮発型あるいは架橋／熱可塑併用型（ただし、熱可塑型が５０質量％以上である）のものや、熱可塑性樹脂のみ、あるいは、熱可塑性樹脂と架橋性樹脂（特に、ポリエステルとイソシアネートによる架橋系樹脂など）とのブレンド樹脂組成物に、ポリエステル樹脂が１０質量％以上配合されたもの、すなわち、架橋型あるいは架橋／熱可塑併用型のものなどが好適に用いられる。
【００４２】
また、アンテナ４２をなす導電性箔としては、銅箔、銀箔、金箔、白金箔、アルミニウム箔などが挙げられる。
さらに、アンテナ４２をなす金属メッキとしては、銅メッキ、銀メッキ、金メッキ、白金メッキなどが挙げられる。
【００４３】
このＩＣタグ１０によれば、筐体２０の連結部２２に設けられた嵌合突起２４，２６，２６が、インレット４０の基材４３の一方の側面４３ｃに外嵌し、筐体２０の連結部２２に設けられた嵌合突起２５，２７，２７が、インレット４０の基材４３の他方の側面４３ｆに外嵌するとともに、筐体２０の一方の面２０ａ側にインレット４０を配置した状態で、上述の通り、固定部材５０の連結部５２を、筐体２０の爪部２３，２３に嵌合し、カゴ車６０の側端部６３Ｂ，６４Ｂに筐体２０および固定部材５０を外嵌することにより、筐体２０の連結部２２の一方の面２２ａ側にインレット４０が固定され、カゴ車６０へのＩＣタグ１０の取り付け作業時に、筐体２０からインレット４０が脱落することがない。したがって、カゴ車６０に対して、ＩＣタグ１０を容易に取り付けることができる。また、筐体２０の外嵌部２１Ａ，２１Ｂと、固定部材５０の外嵌部５１Ａ，５１Ｂとによって、上述の側端部６３Ｂ，６４ＢにＩＣタグ１０が固定されるので、カゴ車６０に対してＩＣタグ１０をより強固に固定することができる。また、インレット４０の長さを長くして、インレット４０の両方の端部４０ａ，４０ａが、側端部６３Ｂ，６４Ｂと筐体２０の外嵌部２１Ａ，２１Ｂとの間に介在した場合であっても、固定部材５０の外嵌部５１Ａ，５１Ｂが、筐体２０の外嵌部２１Ａ，２１Ｂにおける一対の爪部２１ｂ，２１ｂの間に外嵌されるので、側端部６３Ｂ，６４Ｂに対して、ＩＣタグ１０を強固に固定することができる。また、インレット４０の両方の端部４０ａ，４０ａを、筐体２０の外嵌部２１Ａ，２１Ｂと側端部６３Ｂ，６４Ｂとの間に配置し、かつ、これらの間に保持することにより、インレット４０の両方の端部４０ａ，４０ａが折れ曲がって通信特性を劣化することを防止することができる。
【００４４】
なお、本実施形態では、インレット４０の基材４３における、筐体２０の連結部２２の一方の面２２ａに配置される部分に平面視長方形状の突条部４３ｄ，４３ｄ，４３ｇ，４３ｇが設けられた場合を例示したが、本発明はこれに限定されるものではない。本発明にあっては、インレットの基材に設けられる突条部（嵌合部）の形状は、平面視半円形状、平面視四角形状、平面視多角形状（五角形以上）などであってもよい。そして、筐体の連結部に設けられる嵌合突起の形状は、前記の突条部（嵌合部）の形状に応じて、半円柱状、四角柱状、多角柱状（五角形以上）などであってもよい。
【００４５】
また、本実施形態では、筐体２０が、並列に設けられた２つの側端部６３Ｂ，６４Ｂの間を架け渡して配置されるように設けられたＩＣタグ１０を例示したが、本発明はこれに限定されるものではない。本発明にあっては、ＩＣタグが取り付けられる隣り合う２つの柱状部材は並列に設けられていなくてもよく、この２つの柱状部材は交差していてもよい。このように、隣り合う２つの柱状部材が交差している場合も、筐体は、これら２つの柱状部材の間を架け渡して配置されるように設けられる。
【００４６】
また、カゴ車などを構成する柱状部材が金属製の場合、インレットを構成するアンテナの放射素子の先端部の一部または全部が、柱状部材と交差するように配置されるのが好ましい。また、この場合、柱状部材に対して、放射素子の先端部の一部または全部が交差する角度は、９０°であることが好ましく、実用的には４５°〜９０°である。
これにより、アンテナの放射素子と金属製の柱状部材の間には、電磁誘導または静電誘導により電流が流れるようになり、柱状部材は、アンテナの一部、すなわち、アンテナを延長した延長部として機能する。したがって、アンテナのみでは、インレットの長手方向からは通信できなかったが、アンテナの延長部をなす柱状部材を介して、インレットの長手方向からも通信可能となる。すなわち、金属製の柱状部材を介して、アンテナの指向性を広く（指向性を弱く）することができる。
【００４７】
また、柱状部材が金属製、かつ、隣り合う２つの柱状部材に、筐体の外嵌部が外嵌された場合、筐体の一方の面または他方の面（一方の面とは反対側の面）から見て、柱状部材が、筐体から突出していることが好ましい。柱状部材が、筐体から突出しているとは、柱状部材に対して、アンテナの放射素子の先端部の一部または全部を交差させた場合に、柱状部材の長さが、筐体の外嵌部の幅（筐体の長手方向と垂直な方向の長さ）よりも大きいことをいう。このようにすれば、金属製の柱状部材を介して、インレットの長手方向からも電波の送受信をより効率的に行うことができる。すなわち、金属製の柱状部材を介して、アンテナの指向性をより広く（指向性をより弱く）することができる。
【００４８】
さらに、柱状部材の筐体に対する突出する方向は、筐体の外嵌部の幅方向の両端側であることが好ましい。このようにすれば、柱状部材の筐体に対する突出する方向が、筐体の外嵌部の幅方向の一端側のみである場合よりも、金属製の柱状部材を介して、アンテナの指向性を広く（指向性を弱く）することができる。
なお、柱状部材の筐体に対する突出量は、特に限定されず、必要に応じて、適宜調整される。
【００４９】
また、アンテナの放射素子の先端部と柱状部材の間に、電磁誘導または静電誘導を生じさせるためには、両者が密着していても、密着していなくてもよく、両者が対向してさえいればよい。したがって、インレットの一方の面には、アンテナを覆うように、被膜が設けられていてもよい。
この被膜は、アンテナの保護、外嵌部と柱状部材の密着性、柱状部材に対する外嵌部の保持力の向上などを目的として設けられるものである。
被膜の厚さは、その目的に応じて、適宜調整される。
【００５０】
この被膜を形成する材料としては、特に限定されないが、外嵌部と柱状部材の密着性、または、柱状部材に対する外嵌部の保持力の向上を目的とした場合、アクリルゴム、アクリロニトリルブタジエンゴム、イソプレンゴム、ウレタンゴム、エチレンプロピレンゴム、エピクロルヒドリンゴム、クロロプレンゴム、シリコーンゴム、スチレンブタジエンゴム、ブタジエンゴム、フッ素ゴム、ブチルゴムなどから選択される合成ゴム（弾性ゴム）が好適に用いられる。
【００５１】
また、本実施形態では、ＩＣタグ１０がカゴ車６０に取り付けられた場合を例示したが、本発明はこれに限定されるものではない。本発明のＩＣタグは、少なくとも隣り合う２つの柱状部材を備えてなる全ての物品に対して適用することができる。このような少なくとも隣り合う２つの柱状部材を備えた構造を有する物品としては、例えば、椅子、テーブル、机、箪笥などの家具、台車などが挙げられる。
【００５２】
次に、図１〜５を参照して、ＩＣタグ１０を用いたカゴ車６０の管理方法を例示して、本発明の物品の管理方法を説明する。
まず、筐体２０の一方の面２０ａ側に、インレット４０を配置する。
次いで、図４および図５に示すように、筐体２０を、カゴ車６０の周壁部のうち隣り合う２つの周壁部６３，６４に対して、それぞれの側端部６３Ｂ，６４Ｂの間を架け渡すように配置し、側端部６３Ｂ，６４Ｂのそれぞれに、外嵌部２１Ａ，２１Ｂを外嵌する。この際、筐体２０の外嵌部２１Ａ，２１Ｂと側端部６３Ｂ，６４Ｂとの間に、インレット４０の両方の端部４０ａ，４０ａが挟持される。
次いで、筐体２０の連結部２２と固定部材５０の連結部５４の間に、インレット４０を挟むようにして、固定部材５０を、カゴ車６０の周壁部のうち隣り合う２つの周壁部６３，６４に対して、それぞれの側端部６３Ｂ，６４Ｂの間を架け渡すように配置し、固定部材５０の連結部５２を、筐体２０の爪部２３，２３に嵌合するとともに、側端部６３Ｂ，６４Ｂのそれぞれに、外嵌部５１Ａ，５１Ｂを外嵌する。これにより、カゴ車６０の側端部６３Ｂ，６４ＢにＩＣタグ１０が固定される。
【００５３】
この状態で、情報読取／書込装置（図示略）により、ＩＣタグ１０を構成するインレット４０のＩＣチップ４１に対する情報の読取りまたは書込みが非接触にて行われ、カゴ車６０が個別に管理される。
ＩＣチップ４１に書き込まれる情報としては、カゴ車６０の識別番号、所属（保管場所）、管理者；カゴ車６０によって運搬される物品の種類、製造者、製造場所、製造年月日、発注者、配送先（住所、電話電話番号など）、保管場所などが挙げられる。
【００５４】
このように、ＩＣタグ１０を用いたカゴ車６０の管理方法によれば、ＩＣタグ１０を取り付けたカゴ車６０を正確に管理することができるとともに、その作業効率を向上することができる。特に、このカゴ車６０の管理方法によれば、外観がほぼ等しく、一見しただけでは見分けのつき難いカゴ車６０を多数重ね置きした場合にも、それぞれのカゴ車を確実に識別して、個別に管理することができる。
【００５５】
また、側端部６３Ｂ，６４Ｂが金属製であり、側端部６３Ｂ，６４Ｂと外嵌部２１Ａ，２１Ｂとの間に、アンテナ４２の放射素子４４，４４の先端部の一部または全部が介在するように、筐体２０に対してインレット４０が配置され、かつ、側端部６３Ｂ，６４Ｂに対して、アンテナ４２の放射素子４４，４４の先端部の一部または全部が対向し、交差するように、カゴ車６０の所定の位置にＩＣタグ１０を配置した場合、放射素子４４，４４と側端部６３Ｂ，６４Ｂの間には、電磁誘導または静電誘導により電流が流れるようになり、側端部６３Ｂ，６４Ｂを、アンテナ４２の延長部として機能させることができる。これにより、この延長部を介して、情報読取／書込装置（図示略）によるインレット４０のＩＣチップ４１に対する情報の読取りまたは書込みが非接触にて行われ、カゴ車６０を個別に管理することができる。
【００５６】
このように、金属製の側端部６３Ｂ，６４Ｂを、アンテナ４２の延長部として機能させることにより、この側端部６３Ｂ，６４Ｂを介して、アンテナ４２の指向性を広くすることができるので、アンテナ４２のみで、情報読取／書込装置とＩＣタグ１０の非接触通信を行った場合には、インレット４０の長手方向からは、情報読取／書込装置によるＩＣチップ４１に対する情報の読取りまたは書込みを行うことができなかったのが、全ての方向、すなわち、ＩＣタグ１０に対して３６０°の全方向から、情報読取／書込装置によるＩＣチップに対する情報の読取りまたは書込みを行うことができるようになる。
【００５７】
（２）第二の実施形態
図６は、本発明のＩＣタグの第二の実施形態を示す概略斜視図である。図７は、本発明のＩＣタグの第二の実施形態の一部を示す概略斜視図である。図８は、本発明のＩＣタグの第二の実施形態の一部を示す概略斜視図である。
本実施形態のＩＣタグ７０は、筐体８０と、筐体８０の一方の面８０ａ側に配置され、ＩＣチップ９１およびＩＣチップ９１と電気的に接続されたアンテナ９２を有するインレット９０と、筐体８０に対してインレット９０を固定するための固定部材１００とから概略構成されている。
このＩＣタグ７０は、例えば、図４に示すようなカゴ車６０に取り付けられて用いられる。本実施形態では、ＩＣタグ７０がカゴ車６０に取り付けられた場合について説明する。
【００５８】
インレット９０は、平面視長方形状をなすフィルム状またはシート状の基材９３と、ＩＣチップ９１と、アンテナ９２とから概略構成されている。また、ＩＣチップ９１およびアンテナ９２は、基材９３の一方の面９３ａに設けられ、互いに電気的に接続されている。また、アンテナ９２は、互いに対向し、その対向する側にそれぞれ給電点（ＩＣチップ９１と接続する部分）を有する一対の放射素子９４，９４から構成されるダイポールアンテナである。
アンテナ９２は、非接触ＩＣカードなどの非接触ＩＣモジュールに利用できる極超短波帯〈ＵＨＦ〉やマイクロ波帯の電波帯の周波数（３００ＭＨｚ〜３０ＧＨｚ）の１／２波長に相当する長さとなっている。すなわち、放射素子９４，９４の長手方向における長さは、１／４波長に相当する長さとなっている。
【００５９】
インレット９０の基材９３における、筐体８０の一方の面８０ａ（連結部８２の一方の面８２ａ）に配置される部分（本実施形態では、基材９３の中央部）には、その長手方向に沿う一方の側面９３ｃを基端として、基材９３の長手方向と垂直に、外側に突出するように、一対の平面視長方形状の突条部（嵌合部）９３ｄ，９３ｄが間隔を隔てて設けられている。これにより、一対の突条部（嵌合部）９３ｄ，９３ｄの間、すなわち、基材９３の長手方向の中央部には、基材９３の長手方向（すなわち、筐体８０の連結部８２の長手方向）と垂直に、内側に窪む、平面視長方形状の嵌合凹部（嵌合部）９３ｅが形成されている。突条部（嵌合部）９３ｄ，９３ｄは、連結部８２の長手方向と垂直な中心線を介して対称な位置に対応する位置に設けられている。
【００６０】
同様に、インレット９０の基材９３における、筐体８０の一方の面８０ａ（連結部８２の一方の面８２ａ）に配置される部分（本実施形態では、基材９３の中央部）には、その長手方向に沿う他方の側面９３ｆを基端として、基材９３の長手方向と垂直に、外側に突出するように、一対の平面視長方形状の突条部（嵌合部）９３ｇ，９３ｇが間隔を隔てて設けられている。これにより、一対の突条部（嵌合部）９３ｇ，９３ｇの間、すなわち、基材９３の長手方向の中央部には、基材９３の長手方向（すなわち、筐体８０の連結部８２の長手方向）と垂直に、内側に窪む、平面視長方形状の嵌合凹部（嵌合部）９３ｈが形成されている。突条部（嵌合部）９３ｇ，９３ｇは、連結部８２の長手方向と垂直な中心線を介して対称な位置に対応する位置に設けられている。
さらに、嵌合凹部（嵌合部）９３ｅと嵌合凹部（嵌合部）９３ｈは、連結部８２の長手方向と平行な中心線を介して対称な位置に設けられている。
【００６１】
ＩＣタグ７０が取り付けられるカゴ車６０としては、例えば、図４に示すものが挙げられる。
ＩＣタグ７０では、カゴ車６０に取り付けた場合、筐体８０が、ヒンジ部材６６を介して連結された、隣り合う２つの周壁部６３，６４に対して、それぞれの側端部６３Ｂ，６４Ｂの間を架け渡して配置される。
【００６２】
筐体８０は、互いに離隔して設けられ、かつ、２つの側端部６３Ｂ，６４Ｂのそれぞれに外嵌される一対の外嵌部８１Ａ，８１Ｂ、および、この一対の外嵌部８１Ａ，８１Ｂの間に、外嵌部８１Ａ，８１Ｂに直交するように介在して、これらの外嵌部８１Ａ，８１Ｂを連結する平板状の連結部８２を有している。すなわち、筐体８０は、連結部８２を介して一対の外嵌部８１Ａ，８１Ｂが連結されてなる略亜鈴形状をなしている。
【００６３】
外嵌部８１Ａ，８１Ｂは、筐体８０の幅方向に互いに離隔して設けられた一対の爪部８１ｂ，８１ｂと、この一対の爪部８１ｂ，８１ｂの間に介在して、これらの爪部８１ｂ，８１ｂを連結する連結部８１ｃとから構成されている。なお、筐体８０の幅方向とは、筐体８０の外嵌部８１Ａ，８１Ｂのそれぞれが外嵌されるカゴ車６０の周壁部６３，６４の側端部６３Ｂ，６４Ｂの長手方向に沿う方向である。一方、筐体８０の長手方向とは、筐体８０の外嵌部８１Ａ，８１Ｂのそれぞれが外嵌されるカゴ車６０の周壁部６３，６４の側端部６３Ｂ，６４Ｂの長手方向と垂直な方向である。また、外嵌部８１Ａ，８１Ｂにおける側端部６３Ｂ，６４Ｂと対向する面（以下、「内面」という。）８１ａ，８１ａの形状は、側端部６３Ｂ，６４Ｂの外形に沿った形状、すなわち、円弧状をなしている。
【００６４】
なお、外嵌部８１Ａ，８１Ｂの内面８１ａ，８１ａとは、外嵌部８１Ａ，８１Ｂが側端部６３Ｂ，６４Ｂに外嵌されたとき、爪部８１ｂにおける側端部６３Ｂ，６４Ｂの外周面と対向する面、および、連結部８１ｃにおける側端部６３Ｂ，６４Ｂの外周面と対向する面のことである。また、爪部８１ｂ，８１ｂは、側端部６３Ｂ，６４Ｂの外形（外周面）に沿って、連結部８１ｃよりも長めに設けられており、側端部６３Ｂ，６４Ｂの外周の１／２〜３／４程度を覆う長さをなしている。
【００６５】
これにより、側端部６３Ｂ，６４Ｂのそれぞれに、外嵌部８１Ａ，８１Ｂが外嵌された場合、側端部６３Ｂ，６４Ｂの外周面に対する外嵌部８１Ａ，８１Ｂの内面８１ａ，８１ａの密着性が高くなり、側端部６３Ｂ，６４Ｂに対して、ＩＣタグ７０が強固にクランプ固定される。
【００６６】
連結部８２の長手方向に沿う２つの側面８２ａ，８２ａは、連結部８２の外面（固定部材１００と対向する面とは反対側の面）から連結部８２の内面（一方の面）８２ａに向かって次第に、連結部８２の幅が狭くなるようなテーパー状をなしている。これにより、筐体８０の連結部８２を、固定部材１００の爪部１０３，１０３に嵌合しやすくなっている。
【００６７】
また、筐体８０の連結部８２の一方の面８２ａには、連結部８２の中央部において、連結部８２の長手方向に延在し、インレット９０の基材９３に設けられた突条部９３ｄ，９３ｄの間に形成された嵌合凹部９３ｅに嵌合する、平面視長方形状の嵌合突起（嵌合部）８３が設けられている。
同様に、筐体８０の連結部８２の一方の面８２ａには、連結部８２の中央部において、連結部８２の長手方向に延在し、インレット９０の基材９３に設けられた突条部９３ｇ，９３ｇの間に形成された嵌合凹部９３ｈに嵌合する、平面視長方形状の嵌合突起（嵌合部）８４が設けられている。すなわち、嵌合突起８３，８４は、嵌合凹部９３ｅ，９３ｈとほぼ形状が等しくなっており、かつ、連結部８２の長手方向と平行な中心線を介して対称な位置に設けられている。
【００６８】
さらに、筐体８０の連結部８２の一方の面８２ａには、その長手方向の両端部において、インレット９０の基材９３の突条部９３ｄ，９３ｄ，９３ｇ，９３ｇに係合する、４つの平面視長方形状の嵌合突起（嵌合部）８５，８５，８６，８６が所定の間隔を置いて突設されている。すなわち、嵌合突起８５，８５が対をなして基材９３の一方の側面９３ｃに外嵌し、嵌合突起８６，８６が対をなして基材９３の他方の側面９３ｆに外嵌する。
嵌合突起８５と嵌合突起８３の間に形成される凹部８７は、インレット９０の基材９３に設けられた突条部９３ｄの外形とほぼ形状が等しくなっている。同様に、嵌合突起８６と嵌合突起８４の間に形成される凹部８８は、インレット９０の基材９３に設けられた突条部９３ｇの外形とほぼ形状が等しくなっている。そして、一対の嵌合突起８５，８５と、一対の嵌合突起８６，８６とが、連結部８２の長手方向と垂直な中心線を介して対称な位置に設けられている。
【００６９】
固定部材１００は、上述の側端部６３Ｂ，６４Ｂのそれぞれに外嵌される一対の外嵌部１０１Ａ，１０１Ｂと、この一対の外嵌部１０１Ａ，１０１Ｂの間に、外嵌部１０１Ａ，１０１Ｂに直交するように介在して、これらの外嵌部１０１Ａ，１０１Ｂを連結する平板状の連結部１０２とから概略構成されている。すなわち、固定部材１００は、連結部１０２を介して一対の外嵌部１０１Ａ，１０１Ｂが連結されてなる略亜鈴形状をなしている。連結部１０２は、筐体８０の連結部８２と大きさ（面積）がほぼ等しくなっている。
【００７０】
固定部材１００の連結部１０２の長手方向に沿う縁の両側には、連結部１０２における側端部６３Ｂ，６４Ｂと対向する面（以下、「一方の面」という。）１０２ａ側に突出するように、筐体８０の連結部８２を嵌合する爪部１０３，１０３が設けられている。すなわち、爪部１０３，１０３は対をなしている。
また、爪部１０３，１０３の端部（筐体８０の連結部８２を嵌合したとき、筐体８０側となる端部）は、爪部１０３，１０３の間隔が、爪部１０３の端面１０３ａから連結部１０２の一方の面１０２ａに向かって次第に狭くなるようなテーパー状をなしている。これにより、筐体８０の連結部８２を、固定部材１００の爪部１０３，１０３に嵌合しやすく、かつ嵌合後の取り外しが困難な形態となっている。
【００７１】
また、固定部材１００の外嵌部１０１Ａ，１０１Ｂの外形は、筐体８０の外嵌部８１Ａ，８１Ｂに設けられた爪部８１ｂ，８１ｂの間の間隙の形状と等しくなっている。したがって、固定部材１００を筐体８０に固定する際、筐体８０の連結部８２が、固定部材１００の爪部１０３，１０３に嵌合されるとともに、固定部材１００の外嵌部１０１Ａ，１０１Ｂが、筐体８０の外嵌部８１Ａ，８１Ｂの爪部８１ｂ，８１ｂの間に嵌合される。そして、筐体８０の外嵌部８１Ａ，８１Ｂと、固定部材１００の外嵌部１０１Ａ，１０１Ｂとが、上述の側端部６３Ｂ，６４Ｂのそれぞれに外嵌され、カゴ車６０に対してＩＣタグ７０が固定される。
【００７２】
筐体８０、固定部材１００は、上述の第一の実施形態の筐体２０、固定部材５０と同様のものから構成されている。
インレット９０の基材９３は、上述の第一の実施形態のインレット４０の基材４３と同様のものから構成されている。
【００７３】
インレット９０のＩＣチップ９１は、上述の第一の実施形態のインレット４０のＩＣチップ４１と同様のものから構成されている。
インレット９０のアンテナ９２は、上述の第一の実施形態のインレット４０のアンテナ４２と同様のものから構成されている。
【００７４】
このＩＣタグ７０によれば、筐体８０の連結部８２に設けられた嵌合突起８３，８４，８４が、インレット９０の基材９３の一方の側面９３ｃに外嵌し、筐体８０の連結部８２に設けられた嵌合突起８４，８６，８６が、インレット９０の基材９３の他方の側面９３ｆに外嵌するとともに、筐体８０の一方の面８０ａ側にインレット９０を配置した状態で、上述の通り、固定部材１００の爪部１０３，１０３を、筐体８０の連結部８２に外嵌するとともに、カゴ車６０の側端部６３Ｂ，６４Ｂに筐体８０および固定部材１００を外嵌することにより、筐体８０の連結部８２の一方の面８２ａ側にインレット９０が固定され、カゴ車６０へのＩＣタグ７０の取り付け作業時に、筐体８０からインレット９０が脱落することがない。したがって、カゴ車６０に対して、ＩＣタグ７０を容易に取り付けることができる。また、筐体８０の外嵌部８１Ａ，８１Ｂと、固定部材１００の外嵌部１０１Ａ，１０１Ｂとによって、上述の側端部６３Ｂ，６４ＢにＩＣタグ７０が固定されるので、カゴ車６０に対してＩＣタグ７０をより強固に固定することができる。また、インレット９０の長さを長くして、インレット９０の両方の端部９０ａ，９０ａが、側端部６３Ｂ，６４Ｂと筐体８０の外嵌部８１Ａ，８１Ｂとの間に介在した場合であっても、固定部材１００の外嵌部１０１Ａ，１０１Ｂが、筐体８０の外嵌部８１Ａ，８１Ｂにおける一対の爪部８１ｂ，８１ｂの間に外嵌されるので、側端部６３Ｂ，６４Ｂに対して、ＩＣタグ７０を強固に固定することができる。また、インレット９０の両方の端部９０ａ，９０ａを、筐体８０の外嵌部８１Ａ，８１Ｂと側端部６３Ｂ，６４Ｂとの間に配置し、かつ、これらの間に保持することにより、インレット９０の両方の端部９０ａ，９０ａが折れ曲がって通信特性を劣化することを防止することができる。
【００７５】
また、本実施形態のＩＣタグ７０は、上述の第一の実施形態のＩＣタグ１０と同様に種々の形態に変更することができる。
また、本実施形態のＩＣタグ７０は、上述の第一の実施形態のＩＣタグ１０と同様に用いられる。
【００７６】
（３）第三の実施形態
図９は、本発明のＩＣタグの第三の実施形態を示す概略斜視図である。
図９において、図１〜３並びに図５に示したＩＣタグの第一の実施形態と同一の構成要素には同一符号を付して、その説明を省略する。
本実施形態のＩＣタグ１１０は、筐体２０と、筐体２０の一方の面２０ａ側に配置され、ＩＣチップ１２１およびＩＣチップ１２１と電気的に接続された第一アンテナ１２２を有するインレット１２０と、第一アンテナ１２２の近傍に、第一アンテナ１２２に対して未接着状態で配設された第二アンテナ１３１を有するアンテナ部材１３０と、筐体２０に対してインレット１２０およびアンテナ部材１３０を固定するための固定部材５０とから概略構成されている。
このＩＣタグ１１０は、例えば、図４に示すようなカゴ車６０に取り付けられて用いられる。本実施形態では、ＩＣタグ１１０がカゴ車６０に取り付けられた場合について説明する。
【００７７】
インレット１２０は、平面視長方形状をなすフィルム状またはシート状の基材１２３と、ＩＣチップ１２１と、第一アンテナ１２２とから概略構成されている。また、ＩＣチップ１２１および第一アンテナ１２２は、基材１２３の一方の面に設けられ、互いに電気的に接続されている。また、第一アンテナ１２２は、互いに対向し、その対向する側にそれぞれ給電点（ＩＣチップ１２１と接続する部分）を有する一対の放射素子１２４，１２４から構成されるダイポールアンテナである。
なお、本実施形態では、インレット１２０は、筐体２０の連結部２２の一方の面２２ａ内に収まる大きさである。
【００７８】
アンテナ部材１３０は、平面視略長方形状をなすフィルム状またはシート状の基材１３２と、基材１３２の一方の面１３２ａに設けられ、互いに対向し、間隔を隔てて配置され、その対向する側において、インレット１２０の第一アンテナ１２２（放射素子１２４，１２４）と対向する一対の面状（長方形状）の放射素子１３３，１３３からなる第二アンテナ１３１とから概略構成されている。
第二アンテナ１３１は、非接触ＩＣカードなどの非接触ＩＣモジュールに利用できる極超短波帯〈ＵＨＦ〉やマイクロ波帯の電波帯の周波数（３００ＭＨｚ〜３０ＧＨｚ）の１／２波長に相当する長さとなっている。すなわち、放射素子１３３，１３３の長手方向における長さは、１／４波長に相当する長さとなっている。なお、基材１３２およびその一方の面１３２ａに設けられる放射素子１３３，１３３の長さは、アンテナ部材１３０を筐体２０の連結部２２の一方の面２２ａに配置した場合に、筐体２０の外嵌部２１Ａ，２１Ｂまで沿在する長さとなっている。
【００７９】
第一アンテナ１２２の近傍に、第一アンテナ１２２に対して未接着状態で第二アンテナ１３１が配設されているとは、第一アンテナ１２２と第二アンテナ１３１が直接、接着（固着）されることなく、これら２つのアンテナが、静電結合によって電気的な接続を保つことができる位置に設けられている状態を言う。
また、インレット１２０の第一アンテナ１２２は、情報書込／読出装置との通信を直接行うためのものではなく、静電結合による、アンテナ部材１３０の第二アンテナ１３１との電気的な接続を行うためのものである。すなわち、情報書込／読出装置との通信を直接行うのは、アンテナ部材１３０の第二アンテナ１３１である。
【００８０】
アンテナ部材１３０の基材１３２における、筐体２０の一方の面２０ａ（連結部２２の一方の面２２ａ）に配置される部分（本実施形態では基材１３２の放射素子１３３，１３３が設けられていない部分、基材１３２の中央部）には、その長手方向に沿う一方の側面１３２ｂを基端として、アンテナ部材１３０の長手方向と垂直に、外側に突出するように、一対の平面視長方形状の突条部（嵌合部）１３２ｃ，１３２ｃが間隔を隔てて設けられている。これにより、一対の突条部（嵌合部）１３２ｃ，１３２ｃの間、すなわち、基材１３２の長手方向の中央部には、アンテナ部材１３０の長手方向（すなわち、筐体２０の連結部２２の長手方向）と垂直に、内側に窪む、平面視長方形状の嵌合凹部（嵌合部）１３２ｄが形成されている。突条部（嵌合部）１３２ｃ，１３２ｃは、連結部２２の長手方向と垂直な中心線を介して対称な位置に対応する位置に設けられている。
【００８１】
同様に、アンテナ部材１３０の基材１３２における、筐体２０の一方の面２０ａ（連結部２２の一方の面２２ａ）に配置される部分（本実施形態では基材１３２の放射素子１３３，１３３が設けられていない部分、基材１３２の中央部）には、その長手方向に沿う他方の側面１３２ｅを基端として、アンテナ部材１３０の長手方向と垂直に、外側に突出するように、一対の平面視長方形状の突条部（嵌合部）１３２ｆ，１３２ｆが間隔を隔てて設けられている。これにより、一対の突条部（嵌合部）１３２ｆ，１３２ｆの間、すなわち、基材１３２の長手方向の中央部には、アンテナ部材１３０の長手方向（すなわち、筐体２０の連結部２２の長手方向）と垂直に、内側に窪む、平面視長方形状の嵌合凹部（嵌合部）１３２ｇが形成されている。突条部（嵌合部）１３２ｆ，１３２ｆは、連結部２２の長手方向と垂直な中心線を介して対称な位置に対応する位置に設けられている。
さらに、嵌合凹部（嵌合部）１３２ｄと嵌合凹部（嵌合部）１３２ｇは、連結部２２の長手方向と垂直な中心線を介して対称な位置に対応する位置に設けられている。
【００８２】
ＩＣタグ１１０が取り付けられるカゴ車６０としては、例えば、図４に示すものが挙げられる。
ＩＣタグ１１０では、カゴ車６０に取り付けた場合、筐体２０が、ヒンジ部材６６を介して連結された、隣り合う２つの周壁部６３，６４に対して、それぞれの側端部６３Ｂ，６４Ｂの間を架け渡して配置される。
【００８３】
インレット１２０の基材１２３、アンテナ部材１３０の基材１３２は、上述の第一の実施形態のインレット４０の基材４３と同様のものから構成されている。
【００８４】
インレット１２０のＩＣチップ１２１は、上述の第一の実施形態のインレット４０のＩＣチップ４１と同様のものから構成されている。
インレット１２０の第一アンテナ１２２、アンテナ部材１３０の第二アンテナ１３１は、上述の第一の実施形態のインレット４０のアンテナ４２と同様のものから構成されている。
【００８５】
このＩＣタグ１１０によれば、筐体２０の連結部２２に設けられた嵌合突起２４，２６，２６が、アンテナ部材１３０の基材１３０２の一方の側面１３２ｂに外嵌し、筐体２０の連結部２２に設けられた嵌合突起２５，２７，２７が、アンテナ部材１３０の基材１３２の他方の側面１３２ｅに外嵌するとともに、筐体２０の一方の面２０ａ側にインレット１２０およびアンテナ部材１３０を配置した状態で、上述の通り、固定部材５０の連結部５２を、筐体２０の爪部２３，２３に嵌合するとともに、カゴ車６０の側端部６３Ｂ，６４Ｂに筐体２０および固定部材５０を外嵌することにより、筐体２０の連結部２２の一方の面２２ａ側にインレット１２０およびアンテナ部材１３０が固定され、カゴ車６０へのＩＣタグ１１０の取り付け作業時に、筐体２０からインレット１２０およびアンテナ部材１３０が脱落することがない。したがって、カゴ車６０に対して、ＩＣタグ１１０を容易に取り付けることができる。また、筐体２０の外嵌部２１Ａ，２１Ｂと、固定部材５０の外嵌部５１Ａ，５１Ｂとによって、上述の側端部６３Ｂ，６４ＢにＩＣタグ１１０が固定されるので、カゴ車６０に対してＩＣタグ１１０をより強固に固定することができる。また、アンテナ部材１３０の長さを長くして、アンテナ部材１３０の両方の端部１３０ａ，１３０ａが、側端部６３Ｂ，６４Ｂと筐体２０の外嵌部２１Ａ，２１Ｂとの間に介在した場合であっても、固定部材５０の外嵌部５１Ａ，５１Ｂが、筐体２０の外嵌部２１Ａ，２１Ｂにおける一対の爪部２１ｂ，２１ｂの間に外嵌されるので、側端部６３Ｂ，６４Ｂに対して、ＩＣタグ１１０を強固に固定することができる。また、アンテナ部材１３０の両方の端部１３０ａ，１３０ａを、筐体２０の外嵌部２１Ａ，２１Ｂと側端部６３Ｂ，６４Ｂとの間に配置し、かつ、これらの間に保持することにより、アンテナ部材１３０の両方の端部１３０ａ，１３０ａが折れ曲がって通信特性を劣化することを防止することができる。
また、インレット１２０とアンテナ部材１３０を別体にすることにより、これらのいずれか一方が壊れた場合に、その壊れたもののみを交換することにより、それまでと同様に使用することができるので、コストを低減することができる。
【００８６】
また、本実施形態のＩＣタグ１１０は、上述の第一の実施形態のＩＣタグ１０と同様に種々の形態に変更することができる。
また、本実施形態のＩＣタグ１１０は、上述の第一の実施形態のＩＣタグ１０と同様に用いられる。
【００８７】
（４）第四の実施形態
図１０は、本発明のＩＣタグの第四の実施形態を示す概略斜視図である。
本実施形態のＩＣタグ１４０は、筐体１５０と、筐体１５０の一方の面１５０ａ側に配置され、ＩＣチップ１６１およびＩＣチップ１６１と電気的に接続されたアンテナ１６２を有するインレット１６０と、筐体１５０に対してインレット１６０を固定するための固定部材１７０とから概略構成されている。
このＩＣタグ１４０は、例えば、図４に示すようなカゴ車６０に取り付けられて用いられる。本実施形態では、ＩＣタグ１４０がカゴ車６０に取り付けられた場合について説明する。
【００８８】
インレット１６０は、平面視長方形状をなすフィルム状またはシート状の基材１６３と、ＩＣチップ１６１と、アンテナ１６２とから概略構成されている。また、ＩＣチップ１６１およびアンテナ１６２は、基材１６３の一方の面１６３ａに設けられ、互いに電気的に接続されている。また、アンテナ１６２は、互いに対向し、その対向する側にそれぞれ給電点（ＩＣチップ１６１と接続する部分）を有する一対の放射素子１６４，１６４から構成されるダイポールアンテナである。
アンテナ１６２は、非接触ＩＣカードなどの非接触ＩＣモジュールに利用できる極超短波帯〈ＵＨＦ〉やマイクロ波帯の電波帯の周波数（３００ＭＨｚ〜３０ＧＨｚ）の１／２波長に相当する長さとなっている。すなわち、放射素子１６４，１６４の長手方向における長さは、１／４波長に相当する長さとなっている。
【００８９】
ＩＣタグ１４０が取り付けられるカゴ車６０としては、例えば、図４に示すものが挙げられる。
ＩＣタグ１４０では、カゴ車６０に取り付けた場合、筐体１５０が、ヒンジ部材６６を介して連結された、隣り合う２つの周壁部６３，６４に対して、それぞれの側端部６３Ｂ，６４Ｂの間を架け渡して配置される。
【００９０】
筐体１５０は、互いに離隔して設けられ、かつ、２つの側端部６３Ｂ，６４Ｂのそれぞれに外嵌される一対の外嵌部１５１Ａ，１５１Ｂ、および、この一対の外嵌部１５１Ａ，１５１Ｂの間に、外嵌部１５１Ａ，１５１Ｂに直交するように介在して、これらの外嵌部１５１Ａ，１５１Ｂを連結する平板状の連結部１５２を有している。すなわち、筐体１５０は、連結部１５２を介して一対の外嵌部１５１Ａ，１５１Ｂが連結されてなる略亜鈴形状をなしている。
【００９１】
外嵌部１５１Ａ，１５１Ｂは、筐体１５０の幅方向に互いに離隔して設けられた一対の爪部１５１ｂ，１５１ｂと、この一対の爪部１５１ｂ，１５１ｂの間に介在して、これらの爪部１５１ｂ，１５１ｂを連結する連結部１５１ｃとから構成されている。なお、筐体１５０の幅方向とは、筐体１５０の外嵌部１５１Ａ，１５１Ｂのそれぞれが外嵌されるカゴ車６０の周壁部６３，６４の側端部６３Ｂ，６４Ｂの長手方向に沿う方向である。一方、筐体１５０の長手方向とは、筐体１５０の外嵌部１５１Ａ，１５１Ｂのそれぞれが外嵌されるカゴ車６０の周壁部６３，６４の側端部６３Ｂ，６４Ｂの長手方向と垂直な方向である。また、外嵌部１５１Ａ，１５１Ｂにおける側端部６３Ｂ，６４Ｂと対向する面（以下、「内面」という。）１５１ａ，１５１ａの形状は、側端部６３Ｂ，６４Ｂの外形に沿った形状、すなわち、円弧状をなしている。
【００９２】
なお、外嵌部１５１Ａ，１５１Ｂの内面１５１ａ，１５１ａとは、外嵌部１５１Ａ，１５１Ｂが側端部６３Ｂ，６４Ｂに外嵌されたとき、爪部１５１ｂにおける側端部６３Ｂ，６４Ｂの外周面と対向する面、および、連結部１５１ｃにおける側端部６３Ｂ，６４Ｂの外周面と対向する面のことである。また、爪部１５１ｂ，１５１ｂは、側端部６３Ｂ，６４Ｂの外形（外周面）に沿って、連結部１５１ｃよりも長めに設けられており、側端部６３Ｂ，６４Ｂの外周の１／２〜３／４程度を覆う長さをなしている。
【００９３】
これにより、側端部６３Ｂ，６４Ｂのそれぞれに、外嵌部１５１Ａ，１５１Ｂが外嵌された場合、側端部６３Ｂ，６４Ｂの外周面に対する外嵌部１５１Ａ，１５１Ｂの内面１５１ａ，１５１ａの密着性が高くなり、側端部６３Ｂ，６４Ｂに対して、ＩＣタグ１４０が強固にクランプ固定される。
【００９４】
筐体１５０の連結部１５２の長手方向に沿う縁の両側には、連結部１５２における側端部６３Ｂ，６４Ｂと対向する面（以下、「一方の面」という。）１５２ａ側に突出するように、固定部材１７０を嵌合する爪部１５３，１５３が設けられている。すなわち、爪部１５３，１５３は対をなしている。
また、爪部１５３，１５３の端部（固定部材１７０を嵌合したとき、固定部材１７０側となる端部）は、爪部１５３，１５３の間隔が、爪部１５３の端面１５３ａから連結部１５２の一方の面１５２ａに向かって次第に狭くなるようなテーパー状をなしている。
【００９５】
固定部材１７０は、平板状かつ筐体１５０の連結部１５２と大きさ（面積）がほぼ等しい基板１７１から概略構成されている。
また、基板１７１の長手方向に沿う２つの側面１７１ａ，１７１ａは、基板１７１の外面（筐体１５０と対向する面とは反対側の面）１７１ｂから基板１７１の内面（筐体１５０と対向する面）１７１ｃに向かって次第に、基板１７１の幅が狭くなるようなテーパー状をなしている。これにより、固定部材１７０の基板１７１を、筐体１５０の爪部１５３，１５３に嵌合しやすく、かつ嵌合後の取り外しが困難な形態となっている。
【００９６】
筐体１５０、固定部材１７０は、上述の第一の実施形態の筐体２０、固定部材５０と同様のものから構成されている。
インレット１６０の基材１６３は、上述の第一の実施形態のインレット４０の基材４３と同様のものから構成されている。
【００９７】
インレット１６０のＩＣチップ１６１は、上述の第一の実施形態のインレット４０のＩＣチップ４１と同様のものから構成されている。
インレット１６０のアンテナ１６２は、上述の第一の実施形態のインレット４０のアンテナ４２と同様のものから構成されている。
【００９８】
このＩＣタグ１４０によれば、筐体１５０の一方の面１５０ａ側にインレット１６０を配置した状態で、上述の通り固定部材１７０の基板１７１を、筐体１５０の爪部１５３，１５３に嵌合することにより、筐体１５０の連結部１５２の一方の面１５２ａ側にインレット１６０が配置され、カゴ車６０へのＩＣタグ１４０の取り付け作業時に、筐体１５０からインレット１６０が脱落することがない。したがって、カゴ車６０に対して、ＩＣタグ１４０を容易に取り付けることができる。
【００９９】
なお、本実施形態では、筐体１５０の連結部１５２の一方の面１５２ａ側に、嵌合構造を用いることなくインレット１６０が配置された場合を例示したが、本発明はこれに限定されるものではない。本発明にあっては、筐体の連結部の一方の面に、イッレットの側面に嵌合する突条部（嵌合部）が設けられていてもよい。
【０１００】
また、本実施形態のＩＣタグ１４０は、上述の第一の実施形態のＩＣタグ１０と同様に種々の形態に変更することができる。
また、本実施形態のＩＣタグ１４０は、上述の第一の実施形態のＩＣタグ１０と同様に用いられる。
【０１０１】
（５）第五の実施形態
図１１は、本発明のＩＣタグの第五の実施形態を示す概略斜視図である。
本実施形態のＩＣタグ１８０は、筐体１９０と、筐体１９０の一方の面１９０ａ側に配置され、ＩＣチップ２０１およびＩＣチップ２０１と電気的に接続されたアンテナ２０２を有するインレット２００と、筐体１９０にヒンジ接合され、筐体１９０に対してインレット２００を固定するための固定部材２１０とから概略構成されている。
このＩＣタグ１８０は、例えば、図４に示すようなカゴ車６０に取り付けられて用いられる。本実施形態では、ＩＣタグ１８０がカゴ車６０に取り付けられた場合について説明する。
【０１０２】
インレット２００は、平面視長方形状をなすフィルム状またはシート状の基材２０３と、ＩＣチップ２０１と、アンテナ２０２とから概略構成されている。また、ＩＣチップ２０１およびアンテナ２０２は、基材２０３の一方の面２０３ａに設けられ、互いに電気的に接続されている。また、アンテナ２０２は、互いに対向し、その対向する側にそれぞれ給電点（ＩＣチップ２０１と接続する部分）を有する一対の放射素子２０４，２０４から構成されるダイポールアンテナである。
アンテナ２０２は、非接触ＩＣカードなどの非接触ＩＣモジュールに利用できる極超短波帯〈ＵＨＦ〉やマイクロ波帯の電波帯の周波数（３００ＭＨｚ〜３０ＧＨｚ）の１／２波長に相当する長さとなっている。すなわち、放射素子２０４，２０４の長手方向における長さは、１／４波長に相当する長さとなっている。
【０１０３】
ＩＣタグ１８０が取り付けられるカゴ車６０としては、例えば、図４に示すものが挙げられる。
ＩＣタグ１８０では、カゴ車６０に取り付けた場合、筐体１９０が、ヒンジ部材６６を介して連結された、隣り合う２つの周壁部６３，６４に対して、それぞれの側端部６３Ｂ，６４Ｂの間を架け渡して配置される。
【０１０４】
筐体１９０は、互いに離隔して設けられ、かつ、２つの側端部６３Ｂ，６４Ｂのそれぞれに外嵌される一対の外嵌部１９１Ａ，１９１Ｂ、および、この一対の外嵌部１９１Ａ，１９１Ｂの間に、外嵌部１９１Ａ，１９１Ｂに直交するように介在して、これらの外嵌部１９１Ａ，１９１Ｂを連結する平板状の連結部１９２を有している。すなわち、筐体１９０は、連結部１９２を介して一対の外嵌部１９１Ａ，１９１Ｂが連結されてなる略亜鈴形状をなしている。
【０１０５】
外嵌部１９１Ａ，１９１Ｂにおける側端部６３Ｂ，６４Ｂと対向する面（以下、「内面」という。）１９１ａ，１９１ａの形状は、側端部６３Ｂ，６４Ｂの外形に沿った形状、すなわち、円弧状をなしている。
なお、外嵌部１９１Ａ，１９１Ｂの内面１９１ａ，１９１ａとは、外嵌部１９１Ａ，１９１Ｂが側端部６３Ｂ，６４Ｂに外嵌されたとき、側端部６３Ｂ，６４Ｂの外周面と対向する面のことである。
【０１０６】
筐体１９０の連結部１９２の長手方向に沿う縁の両側には、連結部１９２における側端部６３Ｂ，６４Ｂと対向する面（以下、「一方の面」という。）１９２ａ側に突出するように、固定部材２１０を嵌合する爪部１９３，１９３が設けられている。すなわち、爪部１９３，１９３は対をなしている。
また、爪部１９３，１９３の端部（固定部材２１０を嵌合したとき、固定部材２１０側となる端部）は、爪部１９３，１９３の間隔が、爪部１９３の端面１９３ａから連結部１９２の一方の面１９２ａに向かって次第に狭くなるようなテーパー状をなしている。
【０１０７】
固定部材２１０は、筐体１９０の外嵌部１９１Ａ，１９１Ｂの一端部（連結部１９２と連続している側とは反対側の端部）にヒンジ接合され、２つの側端部６３Ｂ，６４Ｂのそれぞれに外嵌される外嵌部２１１Ａ，２１１Ｂ、および、外嵌部２１１Ａ，２１１Ｂにおける筐体１９０にヒンジ接合される側とは反対側に延出する保持部２１２Ａ，２１２Ｂを有している。固定部材２１０は、筐体１９０の外嵌部１９１Ａ，１９１Ｂにヒンジ接合して、側端部６３Ｂ，６４Ｂの長手方向に沿う軸心周りに揺動操作自在になっている。
【０１０８】
外嵌部２１１Ａ，２１１Ｂの側端部６３Ｂ，６４Ｂと対向する面（以下、「内面」という。）２１１ａ，２１１ａの形状は、側端部６３Ｂ，６４Ｂの外形に沿った形状、すなわち、円弧状をなしている。なお、外嵌部２１１Ａ，２１１Ｂの内面２１１ａ，２１１ａとは、外嵌部２１１Ａ，２１１Ｂが側端部６３Ｂ，６４Ｂに外嵌されたとき、側端部６３Ｂ，６４Ｂの外周面と対向する面のことである。
【０１０９】
保持部２１２Ａ，２１２Ｂは、固定部材２１０を側端部６３Ｂ，６４Ｂの長手方向に沿う軸心周りに揺動させた場合、筐体１９０の連結部１９２と対向して配置されるようになっている。このとき、保持部２１２Ａの一端面（筐体１９０の外嵌部１９１Ａにヒンジ接合していない側の端面）と、保持部２１２Ｂの一端面（筐体１９０の外嵌部１９１Ｂにヒンジ接合していない側の端面）とは、筐体１９０の連結部１９２の長手方向と垂直な中心線上にて接触するか、または、この中心線を介して、間隔を隔てて対向するようになっている。また、保持部２１２Ａ，２１２Ｂを、筐体１９０の連結部１９２と対向して配置させた場合、筐体１９０の連結部１９２上において、保持部２１２Ａ，２１２Ｂによって形成される１つの部材は、筐体１９０の連結部１９２と形状が等しくなっている。
【０１１０】
また、保持部２１２Ａ，２１２Ｂの長手方向に沿う２つの側面２１２ａ，２１２ａは、保持部２１２Ａ，２１２Ｂの外面（筐体１９０と対向する面とは反対側の面）から保持部２１２Ａ，２１２Ｂの内面（筐体１９０と対向する面）２１２ｂに向かって次第に、保持部２１２Ａ，２１２Ｂの幅が狭くなるようなテーパー状をなしている。これにより、保持部２１２Ａ，２１２Ｂを、筐体１９０の爪部１９３，１９３に嵌合しやすく、かつ嵌合後の取り外しが困難な形態となっている。
【０１１１】
筐体１９０、固定部材２１０は、上述の第一の実施形態の筐体２０、固定部材５０と同様のものから構成されている。
インレット２００の基材２０３は、上述の第一の実施形態のインレット４０の基材４３と同様のものから構成されている。
【０１１２】
インレット２００のＩＣチップ２０１は、上述の第一の実施形態のインレット４０のＩＣチップ４１と同様のものから構成されている。
インレット２００のアンテナ２０２は、上述の第一の実施形態のインレット４０のアンテナ４２と同様のものから構成されている。
【０１１３】
このＩＣタグ１８０によれば、筐体１９０の一方の面１９０ａ側にインレット２００を配置した状態で、上述の通り固定部材２１０の保持部２１２Ａ，２１２Ｂを、筐体１９０の爪部１９３，１９３に嵌合することにより、筐体１９０の連結部１９２の一方の面１９２ａ側にインレット２００が配置され、カゴ車６０へのＩＣタグ１８０の取り付け作業時に、筐体１９０からインレット２００が脱落することがない。したがって、カゴ車６０に対して、ＩＣタグ１８０を容易に取り付けることができる。また、筐体１９０の外嵌部１９１Ａ，１９１Ｂと、固定部材２１０の外嵌部２１１Ａ，２１１Ｂとによって、上述の側端部６３Ｂ，６４ＢにＩＣタグ１８０が固定されるので、カゴ車６０に対してＩＣタグ１８０をより強固に固定することができる。また、インレット２００の長さを長くして、インレット２００の両方の端部２００ａ，２００ａが、側端部６３Ｂ，６４Ｂと筐体１９０の外嵌部１９１Ａ，１９１Ｂとの間に介在した場合であっても、固定部材２１０の保持部２１２Ａ，２１２Ｂが、筐体１９０の爪部１９３，１９３に嵌合されるので、側端部６３Ｂ，６４Ｂに対して、ＩＣタグ１８０を強固に固定することができる。また、インレット２００の両方の端部２００ａ，２００ａを、筐体１９０の外嵌部１９１Ａ，１９１Ｂと側端部６３Ｂ，６４Ｂとの間に配置し、かつ、これらの間に保持することにより、インレット２００の両方の端部２００ａ，２００ａが折れ曲がって通信特性を劣化することを防止することができる。
【０１１４】
なお、本実施形態では、筐体１９０の連結部１９２の一方の面１９２ａ側に、嵌合構造を用いることなくインレット２００が配置された場合を例示したが、本発明はこれに限定されるものではない。本発明にあっては、筐体の連結部の一方の面に、イッレットの側面に嵌合する突条部（嵌合部）が設けられていてもよい。
【０１１５】
また、本実施形態のＩＣタグ１８０は、上述の第一の実施形態のＩＣタグ１０と同様に種々の形態に変更することができる。
また、本実施形態のＩＣタグ１８０は、上述の第一の実施形態のＩＣタグ１０と同様に用いられる。
【０１１６】
（６）第六の実施形態
図１２は、本発明のＩＣタグの第六の実施形態を示す概略斜視図である。
本実施形態のＩＣタグ２２０は、筐体２３０と、筐体２３０の一方の面２３０ａ側に配置され、ＩＣチップ２４１およびＩＣチップ２４１と電気的に接続されたアンテナ２４２を有するインレット２４０と、筐体２３０に対してインレット２４０を固定するための固定部材２５０とから概略構成されている。
このＩＣタグ２２０は、例えば、図４に示すようなカゴ車６０に取り付けられて用いられる。本実施形態では、ＩＣタグ２２０がカゴ車６０に取り付けられた場合について説明する。
【０１１７】
インレット２４０は、平面視長方形状をなすフィルム状またはシート状の基材２４３と、ＩＣチップ２４１と、アンテナ２４２とから概略構成されている。また、ＩＣチップ２４１およびアンテナ２４２は、基材２４３の一方の面２４３ａに設けられ、互いに電気的に接続されている。また、アンテナ２４２は、互いに対向し、その対向する側にそれぞれ給電点（ＩＣチップ２４１と接続する部分）を有する一対の放射素子２４４，２４４から構成されるダイポールアンテナである。
アンテナ２４２は、非接触ＩＣカードなどの非接触ＩＣモジュールに利用できる極超短波帯〈ＵＨＦ〉やマイクロ波帯の電波帯の周波数（３００ＭＨｚ〜３０ＧＨｚ）の１／２波長に相当する長さとなっている。すなわち、放射素子２４４，２４４の長手方向における長さは、１／４波長に相当する長さとなっている。
【０１１８】
なお、本実施形態では、インレット２４０が、その両方の端部２４０ａ，２４０ａが筐体２３０の延出部２３４Ａ，２３４Ｂにおける固定部材２５０と対向する面（以下、「一方の面」という。）２３４ａ，２３４ａまで沿在する長さとなっている。すなわち、基材２４３の両方の端部２４３ｂ，２４３ｂは、筐体２３０の延出部２３４Ａ，２３４Ｂの一方の面２３４ａ，２３４ａまで沿在する長さとなっており、基材２４３の両方の端部２３ｂ，２４３ｂまで、放射素子２４４，２４４が沿在している。
なお、本実施形態では、インレット２４０の両方の端部２４０ａ，２４０ａが筐体２３０の延出部２３４Ａ，２３４Ｂの一方の面２３４ａ，２３４ａまで沿在している場合を例示したが、本発明はこれに限定されるものではない。本発明にあっては、インレットの両方の端部が、筐体の外嵌部まで沿在していればよい。
【０１１９】
ＩＣタグ２２０が取り付けられるカゴ車６０としては、例えば、図４に示すものが挙げられる。
ＩＣタグ２２０では、カゴ車６０に取り付けた場合、筐体２３０が、ヒンジ部材６６を介して連結された、隣り合う２つの周壁部６３，６４に対して、それぞれの側端部６３Ｂ，６４Ｂの間を架け渡して配置される。
【０１２０】
筐体２３０は、互いに離隔して設けられ、かつ、上述の側端部６３Ｂ，６４Ｂのそれぞれに外嵌される一対の外嵌部２３１Ａ，２３１Ｂ、および、この一対の外嵌部２３１Ａ，２３１Ｂの間に、外嵌部２３１Ａ，２３１Ｂに直交するように介在して、これらの外嵌部２３１Ａ，２３１Ｂを連結する平板状の連結部２３２を有している。すなわち、筐体２３０は、連結部２３２を介して一対の外嵌部２３１Ａ，２３１Ｂが連結されてなる略亜鈴形状をなしている。
【０１２１】
外嵌部２３１Ａ，２３１Ｂは、筐体２３０の幅方向に互いに離隔して設けられた一対の爪部２３１ｂ，２３１ｂと、この一対の爪部２３１ｂ，２３１ｂの間に介在して、これらの爪部２３１ｂ，２３１ｂを連結する連結部２３１ｃとから構成されている。なお、筐体２３０の幅方向とは、筐体２３０の外嵌部２３１Ａ，２３１Ｂのそれぞれが外嵌されるカゴ車６０の周壁部６３，６４の側端部６３Ｂ，６４Ｂの長手方向に沿う方向である。一方、筐体２３０の長手方向とは、筐体２３０の外嵌部２３１Ａ，２３１Ｂのそれぞれが外嵌されるカゴ車６０の周壁部６３，６４の側端部６３Ｂ，６４Ｂの長手方向と垂直な方向である。また、外嵌部２３１Ａ，２３１Ｂの側端部６３Ｂ，６４Ｂと対向する面（以下、「内面」という。）２３１ａ，２３１ａの形状は、側端部６３Ｂ，６４Ｂの外形に沿った形状、すなわち、円弧状をなしている。
【０１２２】
なお、外嵌部２３１Ａ，２３１Ｂの内面２３１ａ，２３１ａとは、外嵌部２３１Ａ，２３１Ｂが側端部６３Ｂ，６４Ｂに外嵌されたとき、爪部２３１ｂにおける側端部６３Ｂ，６４Ｂの外周面と対向する面、および、連結部２３１ｃにおける側端部６３Ｂ，６４Ｂの外周面と対向する面のことである。また、爪部２３１ｂ，２３１ｂは、側端部６３Ｂ，６４Ｂの外形（外周面）に沿って、連結部２３１ｃよりも長めに設けられており、側端部６３Ｂ，６４Ｂの外周の１／２〜３／４程度を覆う長さをなしている。
【０１２３】
これにより、側端部６３Ｂ，６４Ｂのそれぞれに、外嵌部２３１Ａ，２３１Ｂが外嵌された場合、側端部６３Ｂ，６４Ｂの外周面に対する外嵌部２３１Ａ，２３１Ｂの内面２３１ａ，２３１ａの密着性が高くなり、側端部６３Ｂ，６４Ｂに対して、ＩＣタグ２２０が強固にクランプ固定される。
【０１２４】
筐体２３０の連結部２３２の長手方向に沿う縁の両側には、連結部２３２における側端部６３Ｂ，６４Ｂと対向する面（以下、「一方の面」という。）２３２ａ側に突出するように、固定部材２５０の連結部２５２を嵌合する爪部２３３，２３３が設けられている。すなわち、爪部２３３，２３３は対をなしている。
また、爪部２３３，２３３の端部（固定部材２５０を嵌合したとき、固定部材２５０側となる端部）は、爪部２３３，２３３の間隔が、爪部２３３の端面２３３ａから連結部２３２の一方の面２３２ａに向かって次第に狭くなるようなテーパー状をなしている。
【０１２５】
また、筐体２３０は、外嵌部２３１Ａ，２３１Ｂのそれぞれの外側に延出する延出部２３４Ａ，２３４Ｂを有している。延出部２３４Ａ，２３４Ｂは、外嵌部２３１Ａ，２３１Ｂの爪部２３１ｂ，２３１ｂを連結する連結部２３１ｃから外側に延出するように設けられている。延出部２３４Ａ，２３４Ｂは、平板状をなし、筐体２３０の連結部２３２の長手方向と平行になっている。
また、筐体２３０の延出部２３４Ａ，２３４Ｂは、カゴ車６０の側端部６３Ｂ，６４Ｂのそれぞれに、外嵌部２３１Ａ，２３１Ｂが外嵌された状態で、後述する固定部材２５０の延出部２５３Ａ，２５３Ｂと対向するようになっている。ここで、筐体２３０の延出部２３４Ａ，２３４Ｂと固定部材２５０の延出部２５３Ａ，２５３Ｂとが対向するとは、筐体２３０の延出部２３４Ａ，２３４Ｂの一方の面２３４ａと、固定部材２５０の延出部２５３Ａ，２５３Ｂにおける筐体２３０の延出部２３４Ａ，２３４Ｂと対向する面（以下、「一方の面」という。）とが接近して対向することをいう。
【０１２６】
筐体２３０の延出部２３４Ａ，２３４Ｂには、固定部材２５０の延出部２５３Ａ，２５３Ｂの一方の面２５３ａに立設された嵌合突起Ｚを嵌合し、延出部２３４Ａ，２３４Ｂを厚さ方向に貫通する平面視長方形状の嵌合穴２３５が設けられている。また、嵌合穴２３５は、連結部２３２の長手方向と垂直な中心線を介して対称な位置に設けられている。
【０１２７】
固定部材２５０は、上述の側端部６３Ｂ，６４Ｂのそれぞれに外嵌される一対の外嵌部２５１Ａ，２５１Ｂと、この一対の外嵌部２５１Ａ，２５１Ｂの間に、外嵌部２５１Ａ，２５１Ｂに直交するように介在して、これらの外嵌部２５１Ａ，２５１Ｂを連結する平板状の連結部２５２とから概略構成されている。すなわち、固定部材２５０は、連結部２５２を介して一対の外嵌部２５１Ａ，２５１Ｂが連結されてなる略亜鈴形状をなしている。連結部２５２は、筐体２３０の連結部２３２と大きさ（面積）がほぼ等しくなっている。また、連結部２５２の長手方向に沿う２つの側面２５２ａ，２５２ａは、連結部２５２の外面（筐体２３０と対向する面とは反対側の面）２５２ｂから連結部２５２の内面（筐体２３０と対向する面）に向かって次第に、連結部２５２の幅が狭くなるようなテーパー状をなしている。これにより、固定部材２５０の連結部５２を、筐体２３０の爪部２３３，２３３に嵌合しやすく、かつ嵌合後の取り外しが困難な形態となっている。
【０１２８】
また、固定部材２５０の外嵌部２５１Ａ，２５１Ｂの外形は、筐体２３０の外嵌部２３１Ａ，２３１Ｂに設けられた爪部２３１ｂ，２３１ｂの間の間隙の形状と等しくなっている。したがって、固定部材２５０の連結部２５２が、筐体２３０の爪部２３３，２３３に嵌合されるとともに、固定部材２５０の外嵌部２５１Ａ，２５１Ｂが、筐体２３０の外嵌部２３１Ａ，２３１Ｂの爪部２３１ｂ，２３１ｂの間に嵌合される。そして、筐体２３０の外嵌部２３１Ａ，２３１Ｂと、固定部材２５０の外嵌部２５１Ａ，２５１Ｂとが、上述の側端部６３Ｂ，６４Ｂのそれぞれに外嵌され、カゴ車６０に対してＩＣタグ２２０が固定される。
【０１２９】
また、固定部材２５０は、外嵌部２５１Ａ，２５１Ｂのそれぞれの外側に延出する延出部２５３Ａ，２５３Ｂを有している。延出部２５３Ａ，２５３Ｂは、平板状をなし、固定部材２５０の連結部２５２の長手方向と平行になっている。
また、固定部材２５０の延出部２５３Ａ，２５３Ｂは、カゴ車６０の側端部６３Ｂ，６４Ｂのそれぞれに、外嵌部２５１Ａ，２５１Ｂが外嵌された状態で、筐体２３０の延出部２３４Ａ，２３４Ｂと対向するようになっている。
【０１３０】
固定部材２５０の延出部２５３Ａ，２５３Ｂの一方の面には、筐体２３０の延出部２３４Ａ，２３４Ｂに設けられた嵌合穴２３５に嵌合される嵌合突起２５４が立設されている。また、嵌合突起２５４は、連結部２５２の長手方向と垂直な中心線を介して対称な位置に設けられている。
【０１３１】
筐体２３０、固定部材２５０は、上述の第一の実施形態の筐体２０、固定部材５０と同様のものから構成されている。
インレット２４０の基材２４３は、上述の第一の実施形態のインレット４０の基材４３と同様のものから構成されている。
【０１３２】
インレット２４０のＩＣチップ２４１は、上述の第一の実施形態のインレット４０のＩＣチップ４１と同様のものから構成されている。
インレット２４０のアンテナ２４２は、上述の第一の実施形態のインレット４０のアンテナ４２と同様のものから構成されている。
【０１３３】
このＩＣタグ２２０によれば、筐体２３０の一方の面２３０ａ側にインレット２４０を配置した状態で、上述の通り、固定部材２５０の連結部２５２を、筐体２３０の爪部２３３，２３３に嵌合するとともに、カゴ車６０の側端部６３Ｂ，６４Ｂに筐体２３０および固定部材２５０を外嵌することにより、筐体２３０の連結部２３２の一方の面２３２ａ側にインレット２４０が固定され、カゴ車６０へのＩＣタグ２２０の取り付け作業時に、筐体２３０からインレット２４０が脱落することがない。したがって、カゴ車６０に対して、ＩＣタグ２２０を容易に取り付けることができる。また、筐体２３０の外嵌部２３１Ａ，２３１Ｂと、固定部材２５０の外嵌部２５１Ａ，２５１Ｂとによって、上述の側端部６３Ｂ，６４ＢにＩＣタグ２２０が固定されるので、カゴ車６０に対してＩＣタグ２２０をより強固に固定することができる。また、インレット２４０の長さを長くして、インレット２４０の両方の端部２４０ａ，２４０ａが、側端部６３Ｂ，６４Ｂに外嵌する筐体２３０の外嵌部２３１Ａ，２３１Ｂを越えて、筐体２３０の延出部２３４Ａ，２３４Ｂの一方の面２３４ａ，２３４ａまで沿在する長さであっても、インレット２４０の両方の端部２４０ａ，２４０ａを、筐体２３０の延出部２３４Ａ，２３４Ｂと固定部材２５０の延出部２５３Ａ，２５３Ｂの間に配置し、かつ、これらの間に保持して、筐体２３０の延出部２３４Ａ，２３４Ｂと固定部材２５０の延出部２５３Ａ，２５３Ｂにそれぞれ設けられた嵌合構造により、筐体２３０の延出部２３４Ａ，２３４Ｂと固定部材２５０の延出部２５３Ａ，２５３Ｂを互いに嵌合することによって、側端部６３Ｂ，６４Ｂに対して、ＩＣタグ２２０を強固に固定することができる。また、インレット２４０の両方の端部２４０ａ，２４０ａを、筐体２３０の延出部２３４Ａ，２３４Ｂと固定部材２５０の延出部２５３Ａ，２５３Ｂの間に配置し、かつ、これらの間に保持することにより、インレット２４０の両方の端部２４０ａ，２４０ａが折れ曲がって通信特性を劣化することを防止することができる。
【０１３４】
なお、本実施形態では、筐体２３０の連結部２３２の一方の面２３２ａ側に、嵌合構造を用いることなくインレット２４０が配置された場合を例示したが、本発明はこれに限定されるものではない。本発明にあっては、筐体の連結部の一方の面に、イッレットの側面に嵌合する突条部（嵌合部）が設けられていてもよい。
【０１３５】
また、本実施形態のＩＣタグ２２０は、上述の第一の実施形態のＩＣタグ１０と同様に種々の形態に変更することができる。
また、本実施形態のＩＣタグ２２０は、上述の第一の実施形態のＩＣタグ１０と同様に用いられる。
【０１３６】
（７）第七の実施形態
図１３は、本発明のＩＣタグの第七の実施形態を示す概略斜視図である。
本実施形態のＩＣタグ２６０は、筐体２７０と、筐体２７０の一方の面２７０ａ側に配置され、ＩＣチップ２８１およびＩＣチップ２８１と電気的に接続されたアンテナ２８２を有するインレット２８０と、筐体２７０に対してインレット２８０を固定するための固定部材２９０とから概略構成されている。
このＩＣタグ２６０は、例えば、図４に示すようなカゴ車６０に取り付けられて用いられる。本実施形態では、ＩＣタグ２６０がカゴ車６０に取り付けられた場合について説明する。
【０１３７】
インレット２８０は、平面視長方形状をなすフィルム状またはシート状の基材２８３と、ＩＣチップ２８１と、アンテナ２８２とから概略構成されている。また、ＩＣチップ２８１およびアンテナ２８２は、基材２８３の一方の面２８３ａに設けられ、互いに電気的に接続されている。また、アンテナ２８２は、互いに対向し、その対向する側にそれぞれ給電点（ＩＣチップ２８１と接続する部分）を有する一対の放射素子２８４，２８４から構成されるダイポールアンテナである。
アンテナ２８２は、非接触ＩＣカードなどの非接触ＩＣモジュールに利用できる極超短波帯〈ＵＨＦ〉やマイクロ波帯の電波帯の周波数（３００ＭＨｚ〜３０ＧＨｚ）の１／２波長に相当する長さとなっている。すなわち、放射素子２８４，２８４の長手方向における長さは、１／４波長に相当する長さとなっている。
【０１３８】
なお、本実施形態では、インレット２８０が、その両方の端部２８０ａ，２８０ａが筐体２７０の外嵌部２７１Ａ，２７１Ｂにおける側端部６３Ｂ，６４Ｂと対向する面（以下、「一方の面、内面」という。）２７１ａ，２７１ａまで沿在する長さとなっている。すなわち、基材２８３の両方の端部２８３ｂ，２８３ｂは、筐体２７０の外嵌部２７１Ａ，２７１Ｂの一方の面２７１ａ，２７１ａまで沿在する長さとなっており、基材２８３の両方の端部２８３ｂ，２８３ｂまで、放射素子２８４，２８４が沿在している。
【０１３９】
インレット２８０の基材２８３における、筐体２７０の一方の面２７０ａ（連結部２７２の一方の面２７２ａ）に配置される部分（本実施形態では、基材２８３の中央部）には、その長手方向に沿う一方の側面２８３ｃを基端として、基材２８３の長手方向と垂直に、外側に突出するように、一対の平面視長方形状の突条部（嵌合部）２８３ｄ，２８３ｄが間隔を隔てて設けられている。これにより、一対の突条部（嵌合部）２８３ｄ，２８３ｄの間、すなわち、基材２８３の長手方向の中央部には、基材２８３の長手方向（すなわち、筐体２７０の連結部２７２の長手方向）と垂直に、内側に窪む、平面視長方形状の嵌合凹部（嵌合部）２８３ｅが形成されている。突条部（嵌合部）２８３ｄ，２８３ｄは、連結部２７２の長手方向と垂直な中心線を介して対称な位置に対応する位置に設けられている。
【０１４０】
同様に、インレット２８０の基材２８３における、筐体２７０の一方の面２７０ａ（連結部２７２の一方の面２７２ａ）に配置される部分（本実施形態では、基材２８３の中央部）には、その長手方向に沿う他方の側面２８３ｆを基端として、基材２８３の長手方向と垂直に、外側に突出するように、一対の平面視長方形状の突条部（嵌合部）２８３ｇ，２８３ｇが間隔を隔てて設けられている。これにより、一対の突条部（嵌合部）２８３ｇ，２８３ｇの間、すなわち、基材２８３の長手方向の中央部には、基材２８３の長手方向（すなわち、筐体２７０の連結部２７２の長手方向）と垂直に、内側に窪む、平面視長方形状の嵌合凹部（嵌合部）２８３ｈが形成されている。突条部（嵌合部）２８３ｇ，２８３ｇは、連結部２７２の長手方向と垂直な中心線を介して対称な位置に対応する位置に設けられている。
さらに、嵌合凹部（嵌合部）２８３ｅと嵌合凹部（嵌合部）２８３ｈは、連結部２７２の長手方向と平行な中心線を介して対称な位置に設けられている。
【０１４１】
ＩＣタグ２６０が取り付けられるカゴ車６０としては、例えば、図４に示すものが挙げられる。
ＩＣタグ２６０では、カゴ車６０に取り付けた場合、筐体２７０が、ヒンジ部材６６を介して連結された、隣り合う２つの周壁部６３，６４に対して、それぞれの側端部６３Ｂ，６４Ｂの間を架け渡して配置される。
【０１４２】
筐体２７０は、互いに離隔して設けられ、かつ、２つの側端部６３Ｂ，６４Ｂのそれぞれに外嵌される一対の外嵌部２７１Ａ，２７１Ｂ、および、この一対の外嵌部２７１Ａ，２７１Ｂの間に、外嵌部２７１Ａ，２７１Ｂに直交するように介在して、これらの外嵌部２７１Ａ，２７１Ｂを連結する平板状の連結部２７２を有している。すなわち、筐体２７０は、連結部２７２を介して一対の外嵌部２７１Ａ，２７１Ｂが連結されてなる略亜鈴形状をなしている。
【０１４３】
外嵌部２７１Ａ，２７１Ｂは、筐体２７０の幅方向に互いに離隔して設けられた一対の爪部２７１ｂ，２７１ｂと、この一対の爪部２７１ｂ，２７１ｂの間に介在して、これらの爪部２７１ｂ，２７１ｂを連結する連結部２７１ｃとから構成されている。また、連結部２７１ｃの外面側（側端部６３Ｂ，６４Ｂと対向する面とは反対の面側）には、一対の爪部２７１ｂ，２７１ｂよりも厚さ方向に凹む第一嵌合凹部２７３が設けられている。この第一嵌合凹部２７３は、後述する固定部材２９０の外嵌部２９１Ａ，２９１Ｂの外形とほぼ形状が等しくなっている。すなわち、嵌合凹部２７３の深さ（爪部２７１ｂ，２７１ｂの外面を基準とする深さ）は、後述する固定部材２９０の外嵌部２９１Ａ，２９１Ｂのうち厚さが薄い部分の厚さとほぼ等しくなっている。これにより、第一嵌合凹部２７３に固定部材２９０の外嵌部２９１Ａ，２９１Ｂが外嵌されるようになっている。
より詳細には、爪部２７１ｂ，２７１ｂを連結する連結部２７１ｃには、爪部２７１ｂ，２７１ｂの厚さよりも、厚さが薄い部分があり、その部分が第一嵌合凹部２７３となっている。そして、第一嵌合凹部２７３には、後述する固定部材２９０の外嵌部２９１Ａ，２９１Ｂうち厚さが薄い部分の厚さとほぼ厚さが等しい部分と、それよりも厚さが厚い部分が存在する。
第一嵌合凹部２７３の長さ（側端部６３Ｂ，６４Ｂの外形（外周面）に沿う長さ）は、特に限定されるものではないが、第一嵌合凹部２７３に、固定部材２９０の外嵌部２９１Ａ，２９１Ｂを外嵌することによって、側端部６３Ｂ，６４Ｂに対する把持力を向上し、ＩＣタグ２６０を強固に固定するためには、側端部６３Ｂ，６４Ｂの外周の１／２〜３／４程度を覆う長さをなしていることが好ましい。
【０１４４】
また、筐体２７０の外嵌部２７１Ａ，２７１Ｂの連結部２７１ｃに設けられた第一嵌合凹部２７３内に、さらに、固定部材２９０の外嵌部２９１Ａ，２９１Ｂの先端に設けられた嵌合突起２９３，２９３を嵌合する第二嵌合凹部２７４が設けられている。
【０１４５】
なお、筐体２７０の幅方向とは、筐体２７０の外嵌部２７１Ａ，２７１Ｂのそれぞれが外嵌されるカゴ車６０の周壁部６３，６４の側端部６３Ｂ，６４Ｂの長手方向に沿う方向である。一方、筐体２７０の長手方向とは、筐体２７０の外嵌部２７１Ａ，２７１Ｂのそれぞれが外嵌されるカゴ車６０の周壁部６３，６４の側端部６３Ｂ，６４Ｂの長手方向と垂直な方向である。また、外嵌部２７１Ａ，２７１Ｂの内面２７１ａ，２７１ａの形状は、側端部６３Ｂ，６４Ｂの外形に沿った形状、すなわち、円弧状をなしている。
【０１４６】
なお、外嵌部２７１Ａ，２７１Ｂの内面２７１ａ，２７１ａとは、外嵌部２７１Ａ，２７１Ｂが側端部６３Ｂ，６４Ｂに外嵌されたとき、爪部２７１ｂにおける側端部６３Ｂ，６４Ｂの外周面と対向する面、および、連結部２７１ｃにおける側端部６３Ｂ，６４Ｂの外周面と対向する面のことである。
爪部２７１ｂ，２７１ｂは、側端部６３Ｂ，６４Ｂの外形（外周面）に沿って、連結部２７１ｃよりも長めに設けられている。また、爪部２７１ｂ，２７１ｂは、側端部６３Ｂ，６４Ｂの外周の１／２〜３／４程度を覆う長さをなしている。
【０１４７】
なお、連結部２７１ｃの長さは、特に限定されるものではないが、外嵌部２９１Ａ，２９１ＢＢを側端部６３Ｂ，６４Ｂに外嵌する際、連結部２７１ｃと側端部６３Ｂ，６４Ｂとの間にインレット２８０を介在するため、インレット２８０の両方の端部２８０ａ，２８０ａよりも長くなっている。
【０１４８】
このような筐体２７０の外嵌部２７１Ａ，２７１Ｂの構造により、側端部６３Ｂ，６４Ｂのそれぞれに、外嵌部２７１Ａ，２７１Ｂが外嵌された場合、側端部６３Ｂ，６４Ｂの外周面に対する外嵌部２７１Ａ，２７１Ｂの内面２７１ａ，２７１ａの密着性が高くなり、側端部６３Ｂ，６４Ｂに対して、ＩＣタグ２６０が強固にクランプ固定される。
【０１４９】
筐体２７０の連結部２７２の長手方向に沿う縁の両側には、連結部２７２における側端部６３Ｂ，６４Ｂと対向する面（以下、「一方の面」という。）２７２ａ側に突出するように、固定部材２９０の連結部２９２を嵌合する爪部２７５，２７５が設けられている。すなわち、爪部２７５，２７５は対をなしている。
また、爪部２７５，２７５の端部（固定部材２９０を嵌合したとき、固定部材２９０側となる端部）は、爪部２７５，２７５の間隔が、爪部２７５の端面２７５ａから連結部２７２の一方の面２７２ａに向かって次第に狭くなるようなテーパー状をなしている。
【０１５０】
また、筐体２７０の連結部２７２の一方の面２７２ａには、連結部２７２の中央部において、連結部２７２の長手方向に延在し、インレット２８０の基材２８３に設けられた突条部２８３ｄ，２８３ｄの間に形成された嵌合凹部２８３ｅに嵌合する、平面視長方形状の嵌合突起（嵌合部）２７６が設けられている。
同様に、筐体２７０の連結部２７２の一方の面２７２ａには、連結部２７２の中央部において、連結部２７２の長手方向に延在し、インレット２８０の基材２８３に設けられた突条部２８３ｇ，２８３ｇの間に形成された嵌合凹部２８３ｈに嵌合する、平面視長方形状の嵌合突起（嵌合部）２７７が設けられている。すなわち、嵌合突起２７６，２７７は、嵌合凹部２８３ｅ，２８３ｈとほぼ形状が等しくなっており、かつ、連結部２７２の長手方向と平行な中心線を介して対称な位置に設けられている。
【０１５１】
さらに、筐体２７０の連結部２７２の一方の面２７２ａには、その長手方向の両端部において、インレット２８０の基材２８３の突条部２８３ｄ，２８３ｄ，２８３ｇ，２８３ｇに係合する、４つの平面視長方形状の嵌合突起（嵌合部）２７８，２７８，２７９，２７９が所定の間隔を置いて突設されている。すなわち、嵌合突起２７８，２７８が対をなして基材２８３の一方の側面２８３ｃに外嵌し、嵌合突起２７９，２７９が対をなして基材２８３の他方の側面２８３ｆに外嵌する。
嵌合突起２７６と嵌合突起２７８の間に形成される凹部２７６ａは、インレット２８０の基材２８３に設けられた突条部２８３ｄの外形とほぼ形状が等しくなっている。同様に、嵌合突起２７７と嵌合突起２７９の間に形成される凹部２７７ａは、インレット２８０の基材２８３に設けられた突条部２８３ｇの外形とほぼ形状が等しくなっている。そして、一対の嵌合突起２７８，２７８と、一対の嵌合突起２７９，２７９とが、連結部２７２の長手方向と垂直な中心線を介して対称な位置に設けられている。
【０１５２】
固定部材２９０は、上述の側端部６３Ｂ，６４Ｂのそれぞれに外嵌される一対の外嵌部２９１Ａ，２９１Ｂと、この一対の外嵌部２９１Ａ，２９１Ｂの間に、外嵌部２９１Ａ，２９１Ｂに直交するように介在して、これらの外嵌部２９１Ａ，２９１Ｂを連結する平板状の連結部２９２とから概略構成されている。すなわち、固定部材２９０は、連結部２９２を介して一対の外嵌部２９１Ａ，２９１Ｂが連結されてなる略亜鈴形状をなしている。連結部２９２は、筐体２７０の連結部２７２と大きさ（面積）がほぼ等しくなっている。
【０１５３】
また、固定部材２９０の外嵌部２９１Ａ，２９１Ｂの外形は、筐体２７０の外嵌部２７１Ａ，２７１Ｂに設けられた爪部２７１ｂ，２７１ｂの間を連結する連結部２７１ｃの外面側に設けられた第一嵌合凹部２７３の形状と等しくなっている。詳細には、外嵌部２９１Ａ，２９１Ｂ全体が、第一嵌合凹部２７３の形状と等しいわけではなく、外嵌部２９１Ａ，２９１Ｂのうち第一嵌合凹部２７３に外嵌する部分（外嵌部２９１Ａ，２９１Ｂの先端から半分以上の長さに相当する部分）の外形が、第一嵌合凹部２７３の形状と等しくなっている。すなわち、外嵌部２９１Ａ，２９１Ｂのうち第一嵌合凹部２７３に外嵌する部分の厚さは、第一嵌合凹部２７３の深さと等しくなっており、外嵌部２９１Ａ，２９１Ｂのうち第一嵌合凹部２７３に外嵌しない部分の厚さは、外嵌部２９１Ａ，２９１Ｂの内面側に第一嵌合凹部２７３の深さよりも厚くなっている。さらに、固定部材２９０の外嵌部２９１Ａ，２９１Ｂの先端に設けられた嵌合突起２９３，２９３の外形は、第一嵌合凹部２７３内に設けられた第二嵌合凹部２７４の形状と等しくなっている。
【０１５４】
また、連結部２９２の長手方向に沿う２つの側面２９２ａ，２９２ａは、連結部２９２の外面（筐体２７０と対向する面とは反対側の面）２９２ｂから連結部２９２の内面（筐体２７０と対向する面）に向かって次第に、連結部２９２の幅が狭くなるようなテーパー状をなしている。これにより、固定部材２９０の連結部２９２を、筐体２７０の爪部２７５，２７５に嵌合しやすく、かつ嵌合後の取り外しが困難な形態となっている。
【０１５５】
このような構造の固定部材２９０を筐体２７０に固定する際、固定部材２９０の外嵌部２９１Ａ，２９１Ｂが、筐体２７０の外嵌部２７１Ａ，２７１Ｂの爪部２７１ｂ，２７１ｂの間に嵌合される。すなわち、固定部材２９０の外嵌部２９１Ａ，２９１Ｂが、連結部２７１ｃの外面側に設けられた第一嵌合凹部２７３に外嵌され、さらに、固定部材２９０の外嵌部２９１Ａ，２９１Ｂの先端に設けられた嵌合突起２９３，２９３が、筐体２７０の外嵌部２７１Ａ，２７１Ｂの連結部２７１ｃ内に設けられた第二嵌合凹部２７４に嵌合される。そして、筐体２７０の外嵌部２７１Ａ，２７１Ｂと、固定部材２９０の外嵌部２９１Ａ，２９１Ｂとが、上述の側端部６３Ｂ，６４Ｂのそれぞれに外嵌され、カゴ車６０に対してＩＣタグ２６０が固定される。なお、固定部材２９０の外嵌部２９１Ａ，２９１Ｂが、連結部２７１ｃの外面側に設けられた嵌合凹部２３に外嵌された状態では、筐体２７０の外嵌部２７１Ａ，２７１Ｂの最表面と、固定部材２９０の外嵌部２９１Ａ，２９１Ｂの最表面とが同一面上に存在する。
【０１５６】
筐体２７０、固定部材２９０は、上述の第一の実施形態の筐体２０、固定部材５０と同様のものから構成されている。
インレット２８０の基材２８３は、上述の第一の実施形態のインレット４０の基材４３と同様のものから構成されている。
【０１５７】
インレット２８０のＩＣチップ２８１は、上述の第一の実施形態のインレット４０のＩＣチップ４１と同様のものから構成されている。
インレット２８０のアンテナ２８２は、上述の第一の実施形態のインレット４０のアンテナ４２と同様のものから構成されている。
【０１５８】
このＩＣタグ２６０によれば、筐体２７０の一方の面２７０ａ側にインレット２８０を配置した状態で、上述の通り、固定部材２９０の連結部２９２を、筐体２８０の爪部２７５，２７５に嵌合するとともに、カゴ車６０の側端部６３Ｂ，６４Ｂに筐体２７０を外嵌し、固定部材２９０の外嵌部２９１Ａ，２９１Ｂを、筐体２７０の外嵌部２７１Ａ，２７１Ｂの爪部２７１ｂ，２７１ｂの間の第一嵌合凹部２７３に外嵌し、さらに、固定部材２９０の外嵌部２９１Ａ，２９１Ｂの先端に設けられた嵌合突起２９３，２９３を、筐体２７０の外嵌部２７１Ａ，２７１Ｂの連結部２７１ｃ内に設けられた第二嵌合凹部２７４に嵌合することにより、筐体２７０の連結部２７２の一方の面２７２ａ側にインレット２８０が固定され、カゴ車６０へのＩＣタグ２６０の取り付け作業時に、筐体２７０からインレット２８０が脱落することがない。したがって、カゴ車６０に対して、ＩＣタグ２６０を容易に取り付けることができる。また、筐体２７０の外嵌部２７１Ａ，２７１Ｂと、固定部材２９０の外嵌部２９１Ａ，２９１Ｂとによって、上述の側端部６３Ｂ，６４ＢにＩＣタグ２６０が固定されるので、カゴ車６０に対してＩＣタグ２６０をより強固に固定することができる。
【０１５９】
また、インレット２８０の長さを長くして、インレット２８０の両方の端部２８０ａ，２８０ａが、側端部６３Ｂ，６４Ｂと筐体２７０の外嵌部２７１Ａ，２７１Ｂとの間に介在した場合であっても、固定部材２９０の外嵌部２９１Ａ，２９１Ｂが、筐体２７０の外嵌部２７１Ａ，２７１Ｂにおける側端部６３Ｂ，６４Ｂと対向する面とは反対の面側に設けられた第一嵌合凹部２７３に外嵌されるので、側端部６３Ｂ，６４Ｂに対して、ＩＣタグ２６０を強固に固定することができる。また、インレット２８０の両方の端部２８０ａ，２８０ａを、筐体２７０の外嵌部２７１Ａ，２７１Ｂと側端部６３Ｂ，６４Ｂとの間に配置し、かつ、これらの間に保持することにより、インレット２８０の両方の端部２８０ａ，２８０ａが折れ曲がって通信特性を劣化することを防止することができる。
【０１６０】
また、本実施形態のＩＣタグ２６０は、上述の第一の実施形態のＩＣタグ１０と同様に種々の形態に変更することができる。
また、本実施形態のＩＣタグ２６０は、上述の第一の実施形態のＩＣタグ１０と同様に用いられる。
【０１６１】
（８）第八の実施形態
図１４は、本発明のＩＣタグの第八の実施形態を示す概略斜視図である。
本実施形態のＩＣタグ３００は、筐体３１０と、筐体３１０の一方の面３１０ａ側に配置され、ＩＣチップ３３１およびＩＣチップ３３１と電気的に接続されたアンテナ３３２を有するインレット３３０と、筐体３１０に対してインレット３３０を固定するための固定部材３４０とから概略構成されている。
このＩＣタグ３００は、例えば、図４に示すようなカゴ車６０に取り付けられて用いられる。本実施形態では、ＩＣタグ３００がカゴ車６０に取り付けられた場合について説明する。
【０１６２】
インレット３３０は、平面視長方形状をなすフィルム状またはシート状の基材３３３と、ＩＣチップ３３１と、アンテナ３３２とから概略構成されている。また、ＩＣチップ３３１およびアンテナ３３２は、基材３３３の一方の面３３３ａに設けられ、互いに電気的に接続されている。また、アンテナ３３２は、互いに対向し、その対向する側にそれぞれ給電点（ＩＣチップ３３１と接続する部分）を有する一対の放射素子３３４，３３４から構成されるダイポールアンテナである。
アンテナ３３２は、非接触ＩＣカードなどの非接触ＩＣモジュールに利用できる極超短波帯〈ＵＨＦ〉やマイクロ波帯の電波帯の周波数（３００ＭＨｚ〜３０ＧＨｚ）の１／２波長に相当する長さとなっている。すなわち、放射素子３３４，３３４の長手方向における長さは、１／４波長に相当する長さとなっている。
【０１６３】
なお、本実施形態では、インレット３３０が、その両方の端部３３０ａ，３３０ａが筐体３１０の外嵌部（第一外嵌部）３１１Ａ，３１１Ｂにおける側端部６３Ｂ，６４Ｂと対向する面（以下、「一方の面、内面」という。）３１１ａ，３１１ａまで沿在する長さとなっている。すなわち、基材３３３の両方の端部３３３ｂ，３３３ｂは、筐体３１０の外嵌部３１１Ａ，３１１Ｂの一方の面３１１ａ，３１１ａまで沿在する長さとなっており、基材３３３の両方の端部３３３ｂ，３３３ｂまで、放射素子３３４，３３４が沿在している。
【０１６４】
インレット３３０の基材３３３における、筐体３１０の一方の面３１０ａ（連結部３１２の一方の面３１２ａ）に配置される部分（本実施形態では、基材３３３の中央部）には、その長手方向に沿う一方の側面３３３ｃを基端として、基材３３３の長手方向と垂直に、外側に突出するように、一対の平面視長方形状の突条部（嵌合部）３３３ｄ，３３３ｄが間隔を隔てて設けられている。これにより、一対の突条部（嵌合部）３３３ｄ，３３３ｄの間、すなわち、基材３３３の長手方向の中央部には、基材３３３の長手方向（すなわち、筐体３１０の連結部３１２の長手方向）と垂直に、内側に窪む、平面視長方形状の嵌合凹部（嵌合部）３３３ｅが形成されている。突条部（嵌合部）３３３ｄ，３３３ｄは、連結部３１２の長手方向と垂直な中心線を介して対称な位置に対応する位置に設けられている。
【０１６５】
同様に、インレット３３０の基材３３３における、筐体３１０の一方の面３１０ａ（連結部３１２の一方の面３１２ａ）に配置される部分（本実施形態では、基材３３３の中央部）には、その長手方向に沿う他方の側面３３３ｆを基端として、基材３３３の長手方向と垂直に、外側に突出するように、一対の平面視長方形状の突条部（嵌合部）３３３ｇ，３３３ｇが間隔を隔てて設けられている。これにより、一対の突条部（嵌合部）３３３ｇ，３３３ｇの間、すなわち、基材３３３の長手方向の中央部には、基材３３３の長手方向（すなわち、筐体３１０の連結部３１２の長手方向）と垂直に、内側に窪む、平面視長方形状の嵌合凹部（嵌合部）３３３ｈが形成されている。突条部（嵌合部）３３３ｇ，３３３ｇは、連結部３１２の長手方向と垂直な中心線を介して対称な位置に対応する位置に設けられている。
さらに、嵌合凹部（嵌合部）３３３ｅと嵌合凹部（嵌合部）３３３ｈは、連結部３１２の長手方向と平行な中心線を介して対称な位置に設けられている。
【０１６６】
ＩＣタグ３００が取り付けられるカゴ車６０としては、例えば、図４に示すものが挙げられる。
ＩＣタグ３００では、カゴ車６０に取り付けた場合、筐体３１０が、ヒンジ部材６６を介して連結された、隣り合う２つの周壁部６３，６４に対して、それぞれの側端部６３Ｂ，６４Ｂの間を架け渡して配置される。
【０１６７】
筐体３１０は、互いに離隔して設けられ、かつ、２つの側端部６３Ｂ，６４Ｂのそれぞれに外嵌される一対の外嵌部（第一外嵌部）３１１Ａ，３１１Ｂ、および、この一対の外嵌部３１１Ａ，３１１Ｂの間に、外嵌部３１１Ａ，３１１Ｂに直交するように介在して、これらの外嵌部３１１Ａ，３１１Ｂを連結する平板状の連結部（第一連結部）３１２を有している。すなわち、筐体３１０は、連結部３１２を介して一対の外嵌部３１１Ａ，３１１Ｂが連結されてなる略亜鈴形状をなしている。
【０１６８】
外嵌部３１１Ａ，３１１Ｂは、筐体３１０の幅方向に互いに離隔して設けられた一対の爪部３１１ｂ，３１１ｂと、この一対の爪部３１１ｂ，３１１ｂの間に介在して、これらの爪部３１１ｂ，３１１ｂを連結する連結部（第二連結部）３１１ｃとから構成されている。なお、筐体３１０の幅方向とは、筐体３１０の外嵌部３１１Ａ，３１１Ｂのそれぞれが外嵌されるカゴ車６０の周壁部６３，６４の側端部６３Ｂ，６４Ｂの長手方向に沿う方向である。一方、筐体３１０の長手方向とは、筐体３１０の外嵌部３１１Ａ，３１１Ｂのそれぞれが外嵌されるカゴ車６０の周壁部６３，６４の側端部６３Ｂ，６４Ｂの長手方向と垂直な方向である。また、外嵌部３１１Ａ，３１１Ｂの内面３１１ａ，３１１ａの形状は、側端部６３Ｂ，６４Ｂの外形に沿った形状、すなわち、円弧状をなしている。
また、一対の爪部３１１ｂ，３１１ｂのうち、図１４において、筐体３１０の幅方向上側の爪部３１１ｂは、連結部３１２の長手方向の延長線上にはなく、連結部３１２に設けられた爪部３１５よりも上側に設けられている。
【０１６９】
また、連結部３１１ｃは、爪部３１１ｂ，３１１ｂの端面３１１ｄ，３１１ｄから、爪部３１１ｂ，３１１ｂの周方向に沿って後退し、爪部３１１ｂ，３１１ｂの端面３１１ｄ，３１１ｄからの位置が互いに異なる第一端面３１３と第二端面３１４を有している。さらに、第一端面３１３における爪部３１１ｂ，３１１ｂの端面３１１ｄ，３１１ｄからの長さは、第二端面３１４における爪部３１１ｂ，３１１ｂの端面３１１ｄ，３１１ｄからの長さよりも短くなっている。これにより、爪部３１１ｂ，３１１ｂと連結部３１１ｃによって形成される形状、すなわち、爪部３１１ｂ，３１１ｂの間の間隙の形状は、略Ｌ字状をなしている。
なお、連結部３１１ｃにおける第一端面３１３を有する部分、すなわち、第一端面３１３を基端とし、爪部３１１ｂ，３１１ｂの周方向に沿って連結部３１２側の部分において、その内面３１１ａ，３１１ａ（外嵌部３１１Ａ，３１１Ｂの内面３１１ａ，３１１ａ）に、インレット３３０が配置される。
【０１７０】
なお、外嵌部３１１Ａ，３１１Ｂの内面３１１ａ，３１１ａとは、外嵌部３１１Ａ，３１１Ｂが側端部６３Ｂ，６４Ｂに外嵌されたとき、爪部３１１ｂにおける側端部６３Ｂ，６４Ｂの外周面と対向する面、および、連結部３１１ｃにおける側端部６３Ｂ，６４Ｂの外周面と対向する面のことである。
爪部３１１ｂ，３１１ｂは、側端部６３Ｂ，６４Ｂの外形（外周面）に沿って、連結部３１１ｃよりも長めに設けられている。また、爪部３１１ｂ，３１１ｂは、は、側端部６３Ｂ，６４Ｂの外周の１／２〜３／４程度を覆う長さをなしている。
【０１７１】
これにより、側端部６３Ｂ，６４Ｂのそれぞれに、外嵌部３１１Ａ，３１１Ｂが外嵌された場合、側端部６３Ｂ，６４Ｂの外周面に対する外嵌部３１１Ａ，３１１Ｂの内面３１１ａ，３１１ａの密着性が高くなり、側端部６３Ｂ，６４Ｂに対して、ＩＣタグ３００が強固にクランプ固定される。
【０１７２】
筐体３１０の連結部３１２の長手方向に沿う縁の両側には、連結部３１２における側端部６３Ｂ，６４Ｂと対向する面（以下、「一方の面」という。）３１２ａ側に突出するように、固定部材３４０の連結部３４２を嵌合する爪部３１５，３１５が設けられている。すなわち、爪部３１５，３１５は対をなしている。
また、爪部３１５，３１５の端部（固定部材３４０を嵌合したとき、固定部材３４０側となる端部）は、爪部３１５，３１５の間隔が、爪部３１５の端面３１５ａから連結部３１２の一方の面３１２ａに向かって次第に狭くなるようなテーパー状をなしている。
【０１７３】
また、筐体３１０の連結部３１２の一方の面３１２ａには、連結部３１２の中央部において、連結部３１２の長手方向に延在し、インレット３３０の基材３３３に設けられた突条部３３３ｄ，３３３ｄの間に形成された嵌合凹部３３３ｅに嵌合する、平面視長方形状の嵌合突起（嵌合部）３１６が設けられている。
同様に、筐体３１０の連結部３１２の一方の面３１２ａには、連結部３１２の中央部において、連結部３１２の長手方向に延在し、インレット３３０の基材３３３に設けられた突条部３３３ｇ，３３３ｇの間に形成された嵌合凹部３３３ｈに嵌合する、平面視長方形状の嵌合突起（嵌合部）３１７が設けられている。すなわち、嵌合突起３１６，３１７は、嵌合凹部３３３ｅ，３３３ｈとほぼ形状が等しくなっており、かつ、連結部３１２の長手方向と平行な中心線を介して対称な位置に設けられている。
【０１７４】
さらに、筐体３１０の連結部３１２の一方の面３１２ａには、その長手方向の両端部において、インレット３３０の基材３３３の突条部３３３ｄ，３３３ｄ，３３３ｇ，３３３ｇに係合する、４つの平面視長方形状の嵌合突起（嵌合部）３１８，３１８，３１９，３１９が所定の間隔を置いて突設されている。すなわち、嵌合突起３１８，３１８が対をなして基材３３３の一方の側面３３３ｃに外嵌し、嵌合突起３１９，３１９が対をなして基材３３３の他方の側面３３３ｆに外嵌する。
嵌合突起３１８と嵌合突起３１６の間に形成される凹部３２０は、インレット３３０の基材３３３に設けられた突条部３３３ｄの外形とほぼ形状が等しくなっている。同様に、嵌合突起３１９と嵌合突起３１７の間に形成される凹部３２１は、インレット３３０の基材３３３に設けられた突条部３３３ｇの外形とほぼ形状が等しくなっている。そして、一対の嵌合突起３１８，３１８と、一対の嵌合突起３１９，３１９とが、連結部３１２の長手方向と垂直な中心線を介して対称な位置に設けられている。
【０１７５】
固定部材３４０は、上述の側端部６３Ｂ，６４Ｂのそれぞれに外嵌される一対の外嵌部（第二外嵌部）３４１Ａ，３４１Ｂと、この一対の外嵌部３４１Ａ，３４１Ｂの間に、外嵌部３４１Ａ，３４１Ｂに直交するように介在して、これらの外嵌部３４１Ａ，３４１Ｂを連結する平板状の連結部（第三連結部）３４２とから概略構成されている。すなわち、固定部材３４０は、連結部３４２を介して一対の外嵌部３４１Ａ，３４１Ｂが連結されてなる略亜鈴形状をなしている。連結部３４２は、筐体３１０の連結部３１２と大きさ（面積）がほぼ等しくなっている。
【０１７６】
また、連結部３４２の長手方向に沿う２つの側面３４２ａ，３４２ａは、連結部３４２の外面（筐体３１０と対向する面とは反対側の面）３４２ｂから連結部３４２の内面（筐体３１０と対向する面）に向かって次第に、連結部３４２の幅が狭くなるようなテーパー状をなしている。これにより、固定部材３４０の連結部３４２を、筐体３１０の爪部３１５，３１５に嵌合しやすく、かつ嵌合後の取り外しが困難な形態となっている。
【０１７７】
また、固定部材３４０の外嵌部３４１Ａ，３４１Ｂの外形は、筐体３１０の外嵌部３１１Ａ，３１１Ｂに設けられた爪部３１１ｂ，３１１ｂの間の間隙の形状と等しくなっている。すなわち、外嵌部３４１Ａ，３４１Ｂは、固定部材３４０の幅方向に沿って順に（図１４において、固定部材３４０の幅方向上から順に）連続して設けられた第一嵌合部３４３と第二嵌合部３４４を有している。
【０１７８】
したがって、固定部材３４０を筐体３１０に固定する際、固定部材３４０の外嵌部３４１Ａ，３４１Ｂが、筐体３１０の外嵌部３１１Ａ，３１１Ｂの爪部３１１ｂ，３１１ｂの間に嵌合される。すなわち、固定部材３４０の外嵌部３４１Ａ，３４１Ｂの第一嵌合部３４３が、筐体３１０の外嵌部３１１Ａ，３１１Ｂの連結部３１１ｃにおける第二端面３１４側の間隙に嵌合されるとともに、固定部材３４０の外嵌部３４１Ａ，３４１Ｂの第二嵌合部３４４が、筐体３１０の外嵌部３１１Ａ，３１１Ｂの連結部３１１ｃにおける第一端面３１３側の間隙に嵌合される。そして、筐体３１０の外嵌部３１１Ａ，３１１Ｂと、固定部材３４０の外嵌部３４１Ａ，３４１Ｂとが、上述の側端部６３Ｂ，６４Ｂのそれぞれに外嵌され、カゴ車６０に対してＩＣタグ３００が固定される。
なお、筐体３１０の外嵌部３１１Ａ，３１１Ｂの連結部３１１ｃにおける第二端面３１４に対応する、固定部材３４０の外嵌部３４２Ａ，３４２Ｂの第一嵌合部３４３は、上述の側端部６３Ｂ，６４Ｂの外周の半分以上と接する長さをなしている。
【０１７９】
筐体３１０、固定部材３４０は、上述の第一の実施形態の筐体２０、固定部材５０と同様のものから構成されている。
インレット３３０の基材３３３は、上述の第一の実施形態のインレット４０の基材４３と同様のものから構成されている。
【０１８０】
インレット３３０のＩＣチップ３３１は、上述の第一の実施形態のインレット４０のＩＣチップ４１と同様のものから構成されている。
インレット３３０のアンテナ３３２は、上述の第一の実施形態のインレット４０のアンテナ４２と同様のものから構成されている。
【０１８１】
このＩＣタグ３００によれば、筐体３１０の一方の面３１０ａ側にインレット３３０を配置した状態で、上述の通り、固定部材３４０の連結部３４２を、筐体３１０の爪部３１５，３１５に嵌合するとともに、カゴ車６０の側端部６３Ｂ，６４Ｂに筐体３１０および固定部材３４０を外嵌することにより、筐体３１０の連結部３１２の一方の面３１２ａ側にインレット３３０が固定され、カゴ車６０へのＩＣタグ３００の取り付け作業時に、筐体３１０からインレット３３０が脱落することがない。したがって、カゴ車６０に対して、ＩＣタグ３００を容易に取り付けることができる。また、筐体３１０の外嵌部３１１Ａ，３１１Ｂと、固定部材３４０の外嵌部３４１Ａ，３４１Ｂとによって、上述の側端部６３Ｂ，６４ＢにＩＣタグ３００が固定されるので、カゴ車６０に対してＩＣタグ３００をより強固に固定することができる。
【０１８２】
また、インレット３３０の長さを長くして、インレット３３０の両方の端部３３０ａ，３３０ａが、側端部６３Ｂ，６４Ｂと筐体３１０の外嵌部３１１Ａ，３１１Ｂとの間に介在した場合であっても、インレット３３０の両方の端部３３０ａ，３３０ａを、連結部３１１ｃにおける第一端面３１３を有する部分において、その内面３１１ａに配置し、一方、連結部３１１ｃにおける第二端面３１４を有する部分側の間隙において、固定部材３４０の外嵌部３４１Ａ，３４１Ｂで側端部６３Ｂ，６４Ｂを把持するので、側端部６３Ｂ，６４Ｂに対して、ＩＣタグ３００を強固に固定することができる。また、インレット３３０の両方の端部３３０ａ，３３０ａを、筐体３１０の外嵌部３１１Ａ，３１１Ｂと側端部６３Ｂ，６４Ｂとの間に配置し、かつ、これらの間に保持することにより、インレット３３０の両方の端部３３０ａ，３３０ａが折れ曲がって通信特性を劣化することを防止することができる。
【０１８３】
また、本実施形態のＩＣタグ３００は、上述の第一の実施形態のＩＣタグ１０と同様に種々の形態に変更することができる。
また、本実施形態のＩＣタグ３００は、上述の第一の実施形態のＩＣタグ１０と同様に用いられる。
【０１８４】
（９）第九の実施形態
図１５は、本発明のＩＣタグの第九の実施形態を示す概略斜視図である。
本実施形態のＩＣタグ３５０は、筐体３６０と、筐体３６０の一方の面３６０ａ側に配置され、ＩＣチップ３７１およびＩＣチップ３７１と電気的に接続されたアンテナ３７２を有するインレット３７０と、筐体３６０に対してインレット３７０を固定するための固定部材３８０とから概略構成されている。
このＩＣタグ３５０は、例えば、図４に示すようなカゴ車６０に取り付けられて用いられる。本実施形態では、ＩＣタグ３５０がカゴ車６０に取り付けられた場合について説明する。
【０１８５】
インレット３７０は、平面視長方形状をなすフィルム状またはシート状の基材３７３と、ＩＣチップ３７１と、アンテナ３７２とから概略構成されている。また、ＩＣチップ３７１およびアンテナ３７２は、基材３７３の一方の面３７３ａに設けられ、互いに電気的に接続されている。また、アンテナ３７２は、互いに対向し、その対向する側にそれぞれ給電点（ＩＣチップ３７１と接続する部分）を有する一対の放射素子３７４，３７４から構成されるダイポールアンテナである。
アンテナ３７２は、非接触ＩＣカードなどの非接触ＩＣモジュールに利用できる極超短波帯〈ＵＨＦ〉やマイクロ波帯の電波帯の周波数（３００ＭＨｚ〜３０ＧＨｚ）の１／２波長に相当する長さとなっている。すなわち、放射素子３７４，３７４の長手方向における長さは、１／４波長に相当する長さとなっている。
【０１８６】
なお、本実施形態では、インレット３７０が、その両方の端部３７０ａ，３７０ａが筐体３６０の外嵌部３６１Ａ，３６１Ｂにおける側端部６３Ｂ，６４Ｂと対向する面（以下、「一方の面、内面」という。）３６１ａ，３６１ａまで沿在する長さとなっている。すなわち、基材３７３の両方の端部３７３ｂ，３７３ｂは、筐体３６０の外嵌部３６１Ａ，３６１Ｂの一方の面３６１ａ，３６１ａまで沿在する長さとなっており、基材３７３の両方の端部３７３ｂ，３７３ｂまで、放射素子３７４，３７４が沿在している。
【０１８７】
ＩＣタグ３５０が取り付けられるカゴ車６０としては、例えば、図４に示すものが挙げられる。
ＩＣタグ３５０では、カゴ車６０に取り付けた場合、筐体３６０が、ヒンジ部材６６を介して連結された、隣り合う２つの周壁部６３，６４に対して、それぞれの側端部６３Ｂ，６４Ｂの間を架け渡して配置される。
【０１８８】
筐体３６０は、互いに離隔して設けられ、かつ、２つの側端部６３Ｂ，６４Ｂのそれぞれに外嵌される一対の外嵌部（第一外嵌部）３６１Ａ，３６１Ｂ、および、この一対の外嵌部３６１Ａ，３６１Ｂの間に、外嵌部３６１Ａ，３６１Ｂに直交するように介在して、これらの外嵌部３６１Ａ，３６１Ｂを連結する平板状の連結部（第一連結部）３６２を有している。すなわち、筐体３６０は、連結部３６２を介して一対の外嵌部３６１Ａ，３６１Ｂが連結されてなる略亜鈴形状をなしている。
【０１８９】
外嵌部３６１Ａ，３６１Ｂは、筐体３６０の幅方向に互いに離隔して設けられた一対の爪部３６１ｂ，３６１ｂと、この一対の爪部３６１ｂ，３６１ｂの間に介在して、これらの爪部３６１ｂ，３６１ｂを連結する連結部（第二連結部）３６１ｃとから構成されている。なお、筐体３６０の幅方向とは、筐体３６０の外嵌部３６１Ａ，３６１Ｂのそれぞれが外嵌されるカゴ車６０の周壁部６３，６４の側端部６３Ｂ，６４Ｂの長手方向に沿う方向である。一方、筐体３６０の長手方向とは、筐体３６０の外嵌部３６１Ａ，３６１Ｂのそれぞれが外嵌されるカゴ車６０の周壁部６３，６４の側端部６３Ｂ，６４Ｂの長手方向と垂直な方向である。また、外嵌部３６１Ａ，３６１Ｂの内面３６１ａ，３６１ａの形状は、側端部６３Ｂ，６４Ｂの外形に沿った形状、すなわち、円弧状をなしている。
また、爪部３６１ｂ，３６１ｂは、連結部３６２の長手方向の延長線上にあり、爪部３６１ｂ，３６１ｂと、連結部３６２に設けられた爪部３６５とは同一面上にある。
また、筐体３６０の一方の面３６０ａ（連結部３６２の一方の面３６２ａ）の幅は、インレット３７０の幅よりも広くなっている。
【０１９０】
また、連結部３６１ｃは、爪部３６１ｂ，３６１ｂの端面３６１ｄ，３６１ｄから、爪部３６１ｂ，３６１ｂの周方向に沿って後退し、爪部３６１ｂ，３６１ｂの端面３６１ｄ，３６１ｄからの位置が互いに異なる第一端面３６３と第二端面３６４を有している。さらに、第一端面３６３における爪部３６１ｂ，３６１ｂの端面３６１ｄ，３６１ｄからの長さは、第二端面３６４における爪部３６１ｂ，３６１ｂの端面３６１ｄ，３６１ｄからの長さよりも短くなっている。これにより、爪部３６１ｂ，３６１ｂと連結部３６１ｃによって形成される形状、すなわち、爪部３６１ｂ，３６１ｂの間の間隙の形状は、略Ｌ字状をなしている。
なお、連結部３６１ｃにおける第一端面３６３を有する部分、すなわち、第一端面３６３を基端とし、爪部３６１ｂ，３６１ｂの周方向に沿って連結部３６２側の部分において、その内面３６１ａ，３６１ａ（外嵌部３６１Ａ，３６１Ｂの内面３６１ａ，３６１ａ）に、インレット３３０が配置される。
【０１９１】
なお、外嵌部３６１Ａ，３６１Ｂの内面３６１ａ，３６１ａとは、外嵌部３６１Ａ，３６１Ｂが側端部６３Ｂ，６４Ｂに外嵌されたとき、爪部３６１ｂにおける側端部６３Ｂ，６４Ｂの外周面と対向する面、および、連結部３６１ｃにおける側端部６３Ｂ，６４Ｂの外周面と対向する面のことである。
爪部３６１ｂ，３６１ｂは、側端部６３Ｂ，６４Ｂの外形（外周面）に沿って、連結部３６１ｃよりも長めに設けられている。また、爪部３６１ｂ，３６１ｂは、は、側端部６３Ｂ，６４Ｂの外周の１／２〜３／４程度を覆う長さをなしている。
【０１９２】
これにより、側端部６３Ｂ，６４Ｂのそれぞれに、外嵌部３６１Ａ，３６１Ｂが外嵌された場合、側端部６３Ｂ，６４Ｂの外周面に対する外嵌部３６１Ａ，３６１Ｂの内面３６１ａ，３６１ａの密着性が高くなり、側端部６３Ｂ，６４Ｂに対して、ＩＣタグ３５０が強固にクランプ固定される。
【０１９３】
筐体３６０の連結部３６２の長手方向に沿う縁の両側には、連結部３６２における側端部６３Ｂ，６４Ｂと対向する面（以下、「一方の面」という。）３６２ａ側に突出するように、固定部材３８０の連結部３８２を嵌合する爪部３６５，３６５が設けられている。すなわち、爪部３６５，３６５は対をなしている。
また、爪部３６５，３６５の端部（固定部材３８０を嵌合したとき、固定部材３８０側となる端部）は、爪部３６５，３６５の間隔が、爪部３６５の端面３６５ａから連結部３６２の一方の面３６２ａに向かって次第に狭くなるようなテーパー状をなしている。
【０１９４】
固定部材３８０は、上述の側端部６３Ｂ，６４Ｂのそれぞれに外嵌される一対の外嵌部（第二外嵌部）３８１Ａ，３８１Ｂと、この一対の外嵌部３８１Ａ，３８１Ｂの間に、外嵌部３８１Ａ，３８１Ｂに直交するように介在して、これらの外嵌部３８１Ａ，３８１Ｂを連結する平板状の連結部（第三連結部）３８２とから概略構成されている。すなわち、固定部材３８０は、連結部３８２を介して一対の外嵌部３８１Ａ，３８１Ｂが連結されてなる略亜鈴形状をなしている。連結部３８２は、筐体３６０の連結部３６２と大きさ（面積）がほぼ等しくなっている。
【０１９５】
また、連結部３８２の長手方向に沿う２つの側面３８２ａ，３８２ａは、連結部３８２の外面（筐体３６０と対向する面とは反対側の面）３８２ｂから連結部３８２の内面（筐体３６０と対向する面）に向かって次第に、連結部３８２の幅が狭くなるようなテーパー状をなしている。これにより、固定部材３８０の連結部３８２を、筐体３６０の爪部３６５，３６５に嵌合しやすく、かつ嵌合後の取り外しが困難な形態となっている。
【０１９６】
また、固定部材３８０の外嵌部３８１Ａ，３８１Ｂの外形は、筐体３６０の外嵌部３６１Ａ，３６１Ｂに設けられた爪部３６１ｂ，３６１ｂの間の間隙の形状と等しくなっている。すなわち、外嵌部３８１Ａ，３８１Ｂは、固定部材３８０の幅方向に沿って順に（図１５において、固定部材３８０の幅方向上から順に）連続して設けられた第一嵌合部３８３と第二嵌合部３８４を有している。
【０１９７】
したがって、固定部材３８０を筐体３６０に固定する際、固定部材３８０の外嵌部３８１Ａ，３８１Ｂが、筐体３６０の外嵌部３６１Ａ，３６１Ｂの爪部３６１ｂ，３６１ｂの間に嵌合される。すなわち、固定部材３８０の外嵌部３８１Ａ，３８１Ｂの第一嵌合部３８３が、筐体３６０の外嵌部３６１Ａ，３６１Ｂの連結部３６１ｃにおける第二端面３６４側の間隙に嵌合されるとともに、固定部材３８０の外嵌部３８１Ａ，３８１Ｂの第二嵌合部３８４が、筐体３６０の外嵌部３６１Ａ，３６１Ｂの連結部３６１ｃにおける第一端面３６３側の間隙に嵌合される。そして、筐体３６０の外嵌部３６１Ａ，３６１Ｂと、固定部材３８０の外嵌部３８１Ａ，３８１Ｂとが、上述の側端部６３Ｂ，６４Ｂのそれぞれに外嵌され、カゴ車６０に対してＩＣタグ３５０が固定される。
なお、筐体３６０の外嵌部３６１Ａ，３６１Ｂの連結部３６１ｃにおける第二端面３６４に対応する、固定部材３８０の外嵌部３８２Ａ，３８２Ｂの第一嵌合部３８３は、上述の側端部６３Ｂ，６４Ｂの外周の半分以上と接する長さをなしている。
【０１９８】
筐体３６０、固定部材３８０は、上述の第一の実施形態の筐体２０、固定部材５０と同様のものから構成されている。
インレット３７０の基材３７３は、上述の第一の実施形態のインレット４０の基材４３と同様のものから構成されている。
【０１９９】
インレット３７０のＩＣチップ３７１は、上述の第一の実施形態のインレット４０のＩＣチップ４１と同様のものから構成されている。
インレット３７０のアンテナ３７２は、上述の第一の実施形態のインレット４０のアンテナ４２と同様のものから構成されている。
【０２００】
このＩＣタグ３５０によれば、筐体３６０の一方の面３６０ａ側にインレット３７０を配置した状態で、上述の通り、固定部材３８０の連結部３８２を、筐体３６０の爪部３６５，３６５に嵌合するとともに、カゴ車６０の側端部６３Ｂ，６４Ｂに筐体３６０および固定部材３８０を外嵌することにより、筐体３６０の連結部３６２の一方の面３６２ａ側にインレット３７０が固定され、カゴ車６０へのＩＣタグ３５０の取り付け作業時に、筐体３６０からインレット３７０が脱落することがない。したがって、カゴ車６０に対して、ＩＣタグ３５０を容易に取り付けることができる。また、筐体３６０の外嵌部３６１Ａ，３６１Ｂと、固定部材３８０の外嵌部３８１Ａ，３８１Ｂとによって、上述の側端部６３Ｂ，６４ＢにＩＣタグ３５０が固定されるので、カゴ車６０に対してＩＣタグ３５０をより強固に固定することができる。
【０２０１】
また、インレット３７０の長さを長くして、インレット３７０の両方の端部３７０ａ，３７０ａが、側端部６３Ｂ，６４Ｂと筐体３６０の外嵌部３６１Ａ，３６１Ｂとの間に介在した場合であっても、インレット３７０の両方の端部３７０ａ，３７０ａを、連結部３６１ｃにおける第一端面３６３を有する部分において、その内面３６１ａに配置し、一方、連結部３６１ｃにおける第二端面３６４を有する部分側の間隙において、固定部材３８０の外嵌部３８１Ａ，３８１Ｂで側端部６３Ｂ，６４Ｂを把持するので、側端部６３Ｂ，６４Ｂに対して、ＩＣタグ３５０を強固に固定することができる。また、インレット３７０の両方の端部３７０ａ，３７０ａを、筐体３６０の外嵌部３６１Ａ，３６１Ｂと側端部６３Ｂ，６４Ｂとの間に配置し、かつ、これらの間に保持することにより、インレット３７０の両方の端部３７０ａ，３７０ａが折れ曲がって通信特性を劣化することを防止することができる。
【０２０２】
また、本実施形態のＩＣタグ３５０は、上述の第一の実施形態のＩＣタグ１０と同様に種々の形態に変更することができる。
また、本実施形態のＩＣタグ３５０は、上述の第一の実施形態のＩＣタグ１０と同様に用いられる。
【０２０３】
（１０）第十の実施形態
図１６は、本発明のＩＣタグの第十の実施形態を示す概略斜視図である。
本実施形態のＩＣタグ３９０は、筐体４００と、筐体４００の一方の面４００ａ側に配置され、ＩＣチップ４２１およびＩＣチップ４２１と電気的に接続されたアンテナ４２２を有するインレット４２０と、筐体４００に対してインレット４２０を固定するための固定部材４３０とから概略構成されている。
このＩＣタグ３９０は、例えば、図４に示すようなカゴ車６０に取り付けられて用いられる。本実施形態では、ＩＣタグ３９０がカゴ車６０に取り付けられた場合について説明する。
【０２０４】
インレット４２０は、平面視長方形状をなすフィルム状またはシート状の基材４２３と、ＩＣチップ４２１と、アンテナ４２２とから概略構成されている。また、ＩＣチップ４２１およびアンテナ４２２は、基材４２３の一方の面４２３ａに設けられ、互いに電気的に接続されている。また、アンテナ４２２は、互いに対向し、その対向する側にそれぞれ給電点（ＩＣチップ４２１と接続する部分）を有する一対の放射素子４２４，４２４から構成されるダイポールアンテナである。
アンテナ４２２は、非接触ＩＣカードなどの非接触ＩＣモジュールに利用できる極超短波帯〈ＵＨＦ〉やマイクロ波帯の電波帯の周波数（３００ＭＨｚ〜３０ＧＨｚ）の１／２波長に相当する長さとなっている。すなわち、放射素子４２４，４２４の長手方向における長さは、１／４波長に相当する長さとなっている。
【０２０５】
インレット４２０の基材４２３における、筐体４００の一方の面４００ａ（連結部４０２の一方の面４０２ａ）に配置される部分（本実施形態では、基材４２３の中央部）には、その長手方向に沿う一方の側面４２３ｃを基端として、基材４２３の長手方向と垂直に、外側に突出するように、一対の平面視長方形状の突条部（嵌合部）４２３ｄ，４２３ｄが間隔を隔てて設けられている。これにより、一対の突条部（嵌合部）４２３ｄ，４２３ｄの間、すなわち、基材４２３の長手方向の中央部には、基材４２３の長手方向（すなわち、筐体４００の連結部４０２の長手方向）と垂直に、内側に窪む、平面視長方形状の嵌合凹部（嵌合部）４２３ｅが形成されている。突条部（嵌合部）４２３ｄ，４２３ｄは、連結部４０２の長手方向と垂直な中心線を介して対称な位置に対応する位置に設けられている。
【０２０６】
同様に、インレット４２０の基材４２３における、筐体４００の一方の面４００ａ（連結部４０２の一方の面４０２ａ）に配置される部分（本実施形態では、基材４２３の中央部）には、その長手方向に沿う他方の側面４２３ｆを基端として、基材４２３の長手方向と垂直に、外側に突出するように、一対の平面視長方形状の突条部（嵌合部）４２３ｇ，４２３ｇが間隔を隔てて設けられている。これにより、一対の突条部（嵌合部）４２３ｇ，４２３ｇの間、すなわち、基材４２３の長手方向の中央部には、基材４２３の長手方向（すなわち、筐体４００の連結部４０２の長手方向）と垂直に、内側に窪む、平面視長方形状の嵌合凹部（嵌合部）４２３ｈが形成されている。突条部（嵌合部）４２３ｇ，４２３ｇは、連結部８２の長手方向と垂直な中心線を介して対称な位置に対応する位置に設けられている。
さらに、嵌合凹部（嵌合部）４２３ｅと嵌合凹部（嵌合部）４２３ｈは、連結部４０２の長手方向と平行な中心線を介して対称な位置に設けられている。
【０２０７】
ＩＣタグ３９０が取り付けられるカゴ車６０としては、例えば、図４に示すものが挙げられる。
ＩＣタグ３９０では、カゴ車６０に取り付けた場合、筐体４００が、ヒンジ部材６６を介して連結された、隣り合う２つの周壁部６３，６４に対して、それぞれの側端部６３Ｂ，６４Ｂの間を架け渡して配置される。
【０２０８】
筐体４００は、互いに離隔して設けられ、かつ、２つの側端部６３Ｂ，６４Ｂのそれぞれに外嵌される一対の外嵌部４０１Ａ，４０１Ｂ、および、この一対の外嵌部４０１Ａ，４０１Ｂの間に、外嵌部４０１Ａ，４０１Ｂに直交するように介在して、これらの外嵌部４０１Ａ，４０１Ｂを連結する平板状の連結部４０２を有している。すなわち、筐体４００は、連結部４０２を介して一対の外嵌部４０１Ａ，４０１Ｂが連結されてなる略亜鈴形状をなしている。
【０２０９】
外嵌部４０１Ａ，４０１Ｂは、筐体４００の幅方向に互いに離隔して設けられた一対の爪部４０１ｂ，４０１ｂと、この一対の爪部４０１ｂ，４０１ｂの間に介在して、これらの爪部４０１ｂ，４０１ｂを連結する連結部４０１ｃとから構成されている。なお、筐体４００の幅方向とは、筐体４００の外嵌部４０１Ａ，４０１Ｂのそれぞれが外嵌されるカゴ車６０の周壁部６３，６４の側端部６３Ｂ，６４Ｂの長手方向に沿う方向である。一方、筐体４００の長手方向とは、筐体４００の外嵌部４０１Ａ，４０１Ｂのそれぞれが外嵌されるカゴ車６０の周壁部６３，６４の側端部６３Ｂ，６４Ｂの長手方向と垂直な方向である。また、外嵌部４０１Ａ，４０１Ｂにおける側端部６３Ｂ，６４Ｂと対向する面（以下、「内面」という。）４０１ａ，４０１ａの形状は、側端部６３Ｂ，６４Ｂの外形に沿った形状、すなわち、円弧状をなしている。
【０２１０】
なお、外嵌部４０１Ａ，４０１Ｂの内面４０１ａ，４０１ａとは、外嵌部４０１Ａ，４０１Ｂが側端部６３Ｂ，６４Ｂに外嵌されたとき、爪部４０１ｂにおける側端部６３Ｂ，６４Ｂの外周面と対向する面、および、連結部４０１ｃにおける側端部６３Ｂ，６４Ｂの外周面と対向する面のことである。また、爪部４０１ｂ，４０１ｂは、側端部６３Ｂ，６４Ｂの外形（外周面）に沿って、連結部２１ｃよりも長めに設けられており、側端部６３Ｂ，６４Ｂの外周の１／２〜３／４程度を覆う長さをなしている。
【０２１１】
これにより、側端部６３Ｂ，６４Ｂのそれぞれに、外嵌部４０１Ａ，４０１Ｂが外嵌された場合、側端部６３Ｂ，６４Ｂの外周面に対する外嵌部４０１Ａ，４０１Ｂの内面４０１ａ，４０１ａの密着性が高くなり、側端部６３Ｂ，６４Ｂに対して、ＩＣタグ３９０が強固にクランプ固定される。
【０２１２】
筐体４００の連結部４０２の長手方向に沿う縁の両側には、連結部４０２における側端部６３Ｂ，６４Ｂと対向する面（以下、「一方の面」という。）４０２ａ側に突出するように、固定部材４３０の連結部４３２を嵌合する爪部４０３，４０３が設けられている。すなわち、爪部４０３，４０３は対をなしている。
また、爪部４０３，４０３の端部（固定部材４３０を嵌合したとき、固定部材４３０側となる端部）は、爪部４０３，４０３の間隔が、爪部４０３の端面４０３ａから連結部４０２の一方の面４０２ａに向かって次第に狭くなるようなテーパー状をなしている。
【０２１３】
また、筐体４００の連結部４０２の一方の面４０２ａには、連結部４０２の中央部において、連結部４０２の長手方向に延在し、インレット４２０の基材４２３に設けられた突条部４２３ｄ，４２３ｄの間に形成された嵌合凹部４２３ｅに嵌合する、平面視長方形状の嵌合突起（嵌合部）４０４が設けられている。
同様に、筐体４００の連結部４０２の一方の面４０２ａには、連結部４０２の中央部において、連結部４０２の長手方向に延在し、インレット４２０の基材４２３に設けられた突条部４２３ｇ，４２３ｇの間に形成された嵌合凹部４２３ｈに嵌合する、平面視長方形状の嵌合突起（嵌合部）４０５が設けられている。すなわち、嵌合突起４０４，４０５は、嵌合凹部４２３ｅ，４２３ｈとほぼ形状が等しくなっており、かつ、連結部４０２の長手方向と平行な中心線を介して対称な位置に設けられている。
【０２１４】
さらに、筐体４００の連結部４０２の一方の面４０２ａには、その長手方向の両端部において、インレット４２０の基材４２３の突条部４２３ｄ，４２３ｄ，４２３ｇ，４２３ｇに係合する、４つの平面視長方形状の嵌合突起（嵌合部）４０６，４０６，４０７，４０７が所定の間隔を置いて突設されている。すなわち、嵌合突起４０６，４０６が対をなして基材４２３の一方の側面４２３ｃに外嵌し、嵌合突起４０７，４０７が対をなして基材４２３の他方の側面４２３ｆに外嵌する。
嵌合突起４０６と嵌合突起４０４の間に形成される凹部４０８は、インレット４２０の基材４２３に設けられた突条部４２３ｄの外形とほぼ形状が等しくなっている。同様に、嵌合突起４０５と嵌合突起４０７の間に形成される凹部４０９は、インレット４２０の基材４２３に設けられた突条部４２３ｇの外形とほぼ形状が等しくなっている。そして、一対の嵌合突起４０６，４０６と、一対の嵌合突起４０７，４０７とが、連結部４０２の長手方向と垂直な中心線を介して対称な位置に設けられている。
【０２１５】
筐体４００の連結部４０２の一方の面４０２ａには、連結部４０２の一方の面４０２ａ上に配置されたインレット４２０側に突出し、かつ、インレット４２０におけるＩＣチップ４２１が設けられた領域を囲むように、平面視円環状の第一補強部４１０が設けられている。ここでは、第一補強部４１０は、連結部４０２の一方の面４０２ａに対して垂直に突設されている。また、第一補強部４１０がインレット４２０におけるＩＣチップ４２１が設けられた領域を囲むように設けられているとは、第一補強部４１０がインレット４２０におけるＩＣチップ４２１が設けられた領域に対向し、ＩＣチップ４２１の外周に、ＩＣチップ４２１と離隔するように設けられていることを言う。また、第一補強部４１０とＩＣチップ４２１の間隔は、筐体４００のインレット４２０とは反対側の面（以下、「他の方の面（外面）」と言う。）に外力が加えられた場合、筐体４００が撓んで生じる連結部４０２の面圧力によってＩＣチップ４２１が破壊されることを防止できる程度とすることが好ましい。
第一補強部４１０は、予め筐体４００に一体に設けられたものであってもよく、あるいは、印刷、接着、融着などにより、筐体４００とは別の材料からなるものが設けられたものであってもよい。
【０２１６】
固定部材４３０は、上述の側端部６３Ｂ，６４Ｂのそれぞれに外嵌される一対の外嵌部４３１Ａ，４３１Ｂと、この一対の外嵌部４３１Ａ，４３１Ｂの間に、外嵌部４３１Ａ，４３１Ｂに直交するように介在して、これらの外嵌部４３１Ａ，４３１Ｂを連結する平板状の連結部４３２とから概略構成されている。すなわち、固定部材４３０は、連結部４３２を介して一対の外嵌部４３１Ａ，４３１Ｂが連結されてなる略亜鈴形状をなしている。連結部４３２は、筐体４００の連結部４０２と大きさ（面積）がほぼ等しくなっている。また、連結部４３２の長手方向に沿う２つの側面４３２ａは、連結部４３２の外面（筐体４００と対向する面とは反対側の面）４３２ｂから連結部４３２の内面（筐体４００と対向する面）に向かって次第に、連結部４３２の幅が狭くなるようなテーパー状をなしている。これにより、固定部材４３０の連結部４３２を、筐体４００の爪部４０３，４０３に嵌合しやすく、かつ嵌合後の取り外しが困難な形態となっている。
【０２１７】
また、固定部材４３０の外嵌部４３１Ａ，４３１Ｂの外形は、筐体４００の外嵌部４０１Ａ，４０１Ｂに設けられた爪部４０１ｂ，４０１ｂの間の間隙の形状と等しくなっている。したがって、固定部材４３０を筐体４００に固定する際、固定部材４３０の連結部４３２が、筐体４００の爪部４０３，４０３に嵌合されるとともに、固定部材４３０の外嵌部４３１Ａ，４３１Ｂが、筐体４００の外嵌部４０１Ａ，４０１Ｂの爪部４０１ｂ，４０１ｂの間に嵌合される。そして、筐体４００の外嵌部４０１Ａ，４０１Ｂと、固定部材４３０の外嵌部４３１Ａ，４３１Ｂとが、上述の側端部６３Ｂ，６４Ｂのそれぞれに外嵌され、カゴ車６０に対してＩＣタグ３９０が固定される。
【０２１８】
固定部材４３０における筐体４００の連結部４０２の一方の面４０２ａ上に配置されたインレット４２０側の面（以下、「一方の面」と言う。）には、インレット４２０側に突出し、かつ、インレット４２０におけるＩＣチップ４２１が設けられた領域を囲むように、平面視円環状の第二補強部４３３が設けられている。ここでは、第二補強部４３３は、固定部材４３０の連結部４３２の一方の面に対して垂直に突設されている。また、第二補強部４３３がインレット４２０におけるＩＣチップ４２１が設けられた領域を囲むように設けられているとは、第二補強部４３３がインレット４２０におけるＩＣチップ４２１が設けられた領域に対向し、ＩＣチップ４２１の外周に、ＩＣチップ４２１と離隔するように設けられていることを言う。また、第二補強部４３３とＩＣチップ４２１の間隔は、固定部材４３０のインレット４２０とは反対側の面（以下、「他の方の面（外面）」と言う。）４３２ｂに外力が加えられた場合、固定部材４３０が撓んで生じる連結部４３２の面圧力によってＩＣチップ４２１が破壊されることを防止できる程度とすることが好ましい。
第二補強部４３３は、予め固定部材４３０に一体に設けられたものであってもよく、あるいは、印刷、接着、融着などにより、固定部材４３０とは別の材料からなるものが設けられたものであってもよい。
【０２１９】
また、筐体４００の第一補強部４１０の高さと、固定部材４３０の第二補強部４３３の高さとの合計は、ＩＣチップ４２１の実装面から、ＩＣチップ４２１の上面までの高さ以上であることが好ましい。なお、ＩＣチップ４２１の実装面とは、ＩＣチップ４２１が実装されている面のことであり、ここでは、アンテナ４２２の基材４２３と接している面とは反対側の面（上面）のことである。
ここで、第一補強部４１０の高さとは、筐体４００の連結部４０２の一方の面４０２ａから第一補強部４１０の先端までの長さを指す。一方、第二補強部４３３の高さとは、固定部材４３０の連結部４３２の一方の面から第二補強部４３３の先端までの長さを指す。
このようにすれば、筐体４００の他の方の面（外面）に外力が加えられ、筐体４００の連結部４０２が撓んだとしても、連結部４０２に生じる面圧力によってＩＣチップ４２１が破壊されることを防止できるとともに、固定部材４３０の他の方の面（外面）４３２ｂに外力が加えられ、連結部４３２が撓んだとしても、連結部４３２に生じる面圧力によってＩＣチップ４２１が破壊されることを防止できる。
【０２２０】
なお、図１６には、第一補強部４１０および第二補強部４３３が平面視円環状をなしている場合を例示したが、本実施形態はこれに限定されるものではない。本実施形態にあっては、ＩＣタグ４２０を平面視した場合、第一補強部４１０および第二補強部４３３は、三角形状、四角形状、楕円型状、コ字状、ＩＣチップ３１の４つの角に隣接するように４つの柱が間隔を置いて配置された形状などをなしていてもよく、あるいは、ＩＣチップ４２１を挟んで一対の帯状または線状をなしていてもよい。
【０２２１】
また、図１６には、第一補強部４１０と第二補強部４３３が、インレット４２０を介して対向している場合を例示したが、本実施形態はこれに限定されるものではない。本実施形態にあっては、第一補強部４１０と第二補強部４３３が対向していなくてもよい。すなわち、本実施形態にあっては、ＩＣタグ３９０を平面視した場合、第一補強部４１０が第二補強部４３３よりも内側に配置されていてもよく、あるいは、第一補強部４１０が第二補強部４３３よりも外側に配置されていてもよい。
ところで、インレット４２０の基材４２３およびアンテナ４２２に対して、これらの厚さ方向に湾曲する力が加えられることがないため、基材４２３が可撓性の場合には、第一補強部４１０と第二補強部４３３が対向していることが好ましい。
【０２２２】
また、本実施形態では、筐体４００の連結部４０２に第一補強部４１０が設けられ、固定部材４３０の連結部４３２に第二補強部４３３が設けられた場合を例示したが、本発明はこれに限定されるものではない。本発明にあっては、筐体の連結部または固定部材の連結部のいずれか一方に補強部が設けられていればよい。筐体および固定部材をカゴ車に固定する際、インレット（ＩＣチップ）の向きを気にする必要がないので、筐体および固定部材の両方に補強部を設けておくことが好ましい。
筐体の連結部または固定部材の連結部のいずれか一方に補強部が設けられている場合、筐体の連結部に設けられた補強部の高さ、または、固定部材の連結部に設けられた補強部の高さが、ＩＣチップの実装面から、ＩＣチップの上面までの高さ以上であることが好ましい。
【０２２３】
筐体４００、固定部材４３０は、上述の第一の実施形態の筐体２０、固定部材５０と同様のものから構成されている。
インレット４２０の基材４２３は、上述の第一の実施形態のインレット４０の基材４３と同様のものから構成されている。
【０２２４】
インレット４２０のＩＣチップ４２１は、上述の第一の実施形態のインレット４０のＩＣチップ４１と同様のものから構成されている。
インレット４２０のアンテナ４２２は、上述の第一の実施形態のインレット４０のアンテナ４２と同様のものから構成されている。
【０２２５】
このＩＣタグ３９０によれば、筐体４００の連結部４０２に設けられた嵌合突起４０４，４０６，４０６が、インレット４２０の基材４２３の一方の側面４２３ｃに外嵌し、筐体４００の連結部４０２に設けられた嵌合突起４０５，４０７，４０７が、インレット４２０の基材４２３の他方の側面４２３ｆに外嵌するとともに、筐体４００の一方の面４００ａ側にインレット４２０を配置した状態で、上述の通り、固定部材４３０の連結部４３２を、筐体４００の爪部４０３，４０３に嵌合し、カゴ車６０の側端部６３Ｂ，６４Ｂに筐体４００および固定部材４３０を外嵌することにより、筐体４００の連結部４０２の一方の面４０２ａ側にインレット４２０が固定され、カゴ車６０へのＩＣタグ３９０の取り付け作業時に、筐体４００からインレット４２０が脱落することがない。したがって、カゴ車６０に対して、ＩＣタグ３９０を容易に取り付けることができる。また、筐体４００の外嵌部４０１Ａ，４０１Ｂと、固定部材４３０の外嵌部４３１Ａ，４３１Ｂとによって、上述の側端部６３Ｂ，６４ＢにＩＣタグ３９０が固定されるので、カゴ車６０に対してＩＣタグ３９０をより強固に固定することができる。また、インレット４２０の長さを長くして、インレット４２０の両方の端部が、側端部６３Ｂ，６４Ｂと筐体４００の外嵌部４０１Ａ，４０１Ｂとの間に介在した場合であっても、固定部材４３０の外嵌部４３１Ａ，４３１Ｂが、筐体４００の外嵌部４０１Ａ，４０１Ｂにおける一対の爪部４０１ｂ，４０１ｂの間に外嵌されるので、側端部６３Ｂ，６４Ｂに対して、ＩＣタグ３９０を強固に固定することができる。また、インレット４２０の両方の端部を、筐体４００の外嵌部４０１Ａ，４０１Ｂと側端部６３Ｂ，６４Ｂとの間に配置し、かつ、これらの間に保持することにより、インレット４２０の両方の端部が折れ曲がって通信特性を劣化することを防止することができる。
【０２２６】
また、筐体４００の連結部４０２の一方の面４０２ａに、インレット４２０におけるＩＣチップ４２１が設けられた領域を囲むように第一補強部４１０が突設され、かつ、固定部材４３０の連結部４３２の一方の面に、インレット４２０におけるＩＣチップ４２１が設けられた領域を囲むように第二補強部４３３が突設されているので、筐体４００の他の方の面（外面）に外力が加えられ、筐体４００の連結部４０２が撓んだとしても、連結部４０２に生じる面圧力によってＩＣチップ４２１が破壊されることを防止できるとともに、固定部材４３０の他の方の面（外面）４３２ｂに外力が加えられ、連結部４３２が撓んだとしても、連結部４３２に生じる面圧力によってＩＣチップ４２１が破壊されることを防止できる。
【０２２７】
また、本実施形態のＩＣタグ３９０は、上述の第一の実施形態のＩＣタグ１０と同様に種々の形態に変更することができる。
また、本実施形態のＩＣタグ３９０は、上述の第一の実施形態のＩＣタグ１０と同様に用いられる。
【０２２８】
なお、上述の第六の実施形態では、筐体の延出部に設けられた嵌合穴に、固定部材の延出部に設けられた嵌合突起を嵌合し、嵌合突起の先端が筐体における固定部材と対向する面とは反対側の面から突出している場合を例示したが、本発明はこれに限定されるものではない。本発明にあっては、例えば、図１７〜２０に示すような形態を採用することもできる。
【０２２９】
図１７は、筐体の延出部と固定部材の延出部との嵌合構造の一例を示す概略断面図である。この断面図は、例えば、図１２において、筐体の延出部と固定部材の延出部の厚さ方向に沿う断面図である。
図１７は、筐体４４０の延出部４４１に、延出部４４１を厚さ方向に貫通する嵌合穴４４２，４４２が設けられ、この嵌合穴４４２，４４２に、固定部材４５０の延出部４５１における筐体４４０と対向する面（以下、「一方の面」と言う。）４５１ａに立設された嵌合突起４５２，４５２が嵌合されている状態を示している。
この例では、筐体４４０の厚さが、嵌合突起４５２の高さ（嵌合突起４５２の固定部材４５０の延出部４５１の一方の面４５１ａから、嵌合突起４５２の上面４５２ａまでの長さ）よりも大きくなっているので、嵌合穴４４２，４４２に嵌合突起４５２，４５２を嵌合しても、筐体４４０の延出部４４１における固定部材４５０と対向する面とは反対側の面４４１ａから、嵌合突起４５２，４５２が突出しない。
【０２３０】
上述の実施形態のように、例えば、筐体の延出部に設けられた嵌合穴に、固定部材の延出部に設けられた嵌合突起を嵌合し、嵌合突起の先端が筐体における固定部材と対向する面とは反対側の面から突出している場合には、嵌合突起の先端を摘み易くなっている。そのため、嵌合突起を摘むことによって、筐体の延出部の嵌合穴から、固定部材の延出部の嵌合突起を容易に取り外すことができる。一方、図１７に示すように、筐体４４０の延出部４４１における固定部材４５０と対向する面とは反対側の面４５１ａから、嵌合突起４５２，４５２が突出していない場合には、嵌合突起４５２，４５２の先端を摘み難くなっている。そのため、嵌合突起４５２，４５２を摘むことによって、筐体４４０の延出部４４１の嵌合穴４４２，４４２から、固定部材４５０の延出部４５１の嵌合突起４５２，４５２を取り外し難くなっている。
【０２３１】
なお、ここでは、筐体４４０の延出部４４１に嵌合穴４４２，４４２が設けられ、この嵌合穴４４２，４４２に、固定部材４５０の延出部４５１に立設された嵌合突起４５２，４５２が嵌合されている場合を例示したが、本発明はこれに限定されるものではない。本発明にあっては、固定部材の延出部に、その延出部を厚さ方向に貫通する嵌合穴が設けられ、この嵌合穴に、筐体の延出部における固定部材と対向する面に立設された嵌合突起が嵌合されていてもよい。
【０２３２】
図１８は、筐体の延出部と固定部材の延出部との嵌合構造の他の例を示す概略断面図である。この断面図は、例えば、図１２において、筐体の延出部と固定部材の延出部の厚さ方向に沿う断面図である。
図１８は、筐体４６０の延出部４６１に、延出部４６１を厚さ方向に貫通する嵌合穴４６２が設けられ、この嵌合穴４６２に、固定部材４７０の延出部４７１における筐体４６０と対向する面（以下、「一方の面」と言う。）４７１ａに立設された嵌合突起４７２，４７２が嵌合されている状態を示している。筐体４６０の嵌合穴４６２の内部には、筐体４６０の延出部４６１の厚さ方向とは垂直な方向に窪む凹部４６２ａが設けられ、この凹部４６２ａに、固定部材４７０の嵌合突起４７２，４７２の先端部に設けられた係止部４７２ａ，４７２ａが係止されて、筐体４６０に対して、固定部材４７０が固定されている。
この例では、筐体４６０の嵌合穴４６２の内部に設けられた凹部４６２ａに、固定部材４７０の嵌合突起４７２，４７２の先端部に設けられた係止部４７２ａ，４７２ａが係止されているので、嵌合穴４６２に嵌合突起４７２，４７２を嵌合しても、筐体４６０の延出部４６１における固定部材４７０と対向する面とは反対側の面４６１ａから、嵌合突起４７２，４７２が突出しない。
【０２３３】
上述の実施形態のように、例えば、筐体の延出部に設けられた嵌合穴に、固定部材の延出部に設けられた嵌合突起を嵌合し、嵌合突起の先端が筐体における固定部材と対向する面とは反対側の面から突出している場合には、嵌合突起の先端を摘み易くなっている。そのため、嵌合突起を摘むことによって、筐体の延出部の嵌合穴から、固定部材の延出部の嵌合突起を容易に取り外すことができる。一方、図１８に示すように、筐体４６０の延出部４６１における固定部材４７０と対向する面とは反対側の面４６１ａから、嵌合突起４７２，４７２が突出していない場合には、嵌合突起４７２，４７２の先端を摘み難くなっている。そのため、嵌合突起４７２，４７２を摘むことによって、筐体４６０の延出部４６１の嵌合穴４６２から、固定部材４７０の延出部４７１の嵌合突起４７２，４７２を取り外し難くなっている。
【０２３４】
なお、ここでは、筐体４６０の延出部４６１に嵌合穴４６２が設けられ、この嵌合穴４６２に、固定部材４７０の延出部４７１に立設された嵌合突起４７２，４７２が嵌合されている場合を例示したが、本発明はこれに限定されるものではない。本発明にあっては、固定部材の延出部に、その延出部を厚さ方向に貫通する嵌合穴が設けられ、この嵌合穴に、筐体の延出部における固定部材と対向する面に立設された嵌合突起が嵌合されていてもよい。
【０２３５】
図１９は、筐体の延出部と固定部材の延出部との嵌合構造の他の例を示す概略断面図である。この断面図は、例えば、図１２において、筐体の延出部と固定部材の延出部の厚さ方向に沿う断面図である。
図１９は、筐体４８０の延出部４８１に、延出部４８１の厚さ方向に窪む嵌合凹部４８２が設けられ、この嵌合凹部４８２に、固定部材４９０の延出部４９１における筐体４８０と対向する面（以下、「一方の面」と言う。）４９１ａに立設された嵌合突起４９２，４９２が嵌合されている状態を示している。筐体４８０の嵌合凹部４８２の内部には、筐体４８０の延出部４８１の厚さ方向とは垂直な方向に窪む凹部４８２ａが設けられ、この凹部４８２ａに、固定部材４９０の嵌合突起４９２，４９２の先端部に設けられた係止部４９２ａ，４９２ａが係止されて、筐体４８０に対して、固定部材４９０が固定されている。
この例では、筐体４８０の嵌合凹部４８２の内部に設けられた凹部４８２ａに、固定部材４９０の嵌合突起４９２，４９２の先端部に設けられた係止部４９２ａ，４９２ａが係止されているので、嵌合凹部４８２に嵌合突起４９２，４９２を嵌合しても、筐体４８０の延出部４８１における固定部材４９０と対向する面とは反対側の面４８１ａから、嵌合突起４９２，４９２が突出しない。
【０２３６】
上述の実施形態のように、例えば、筐体の延出部に設けられた嵌合穴に、固定部材の延出部に設けられた嵌合突起を嵌合し、嵌合突起の先端が筐体における固定部材と対向する面とは反対側の面から突出している場合には、嵌合突起の先端を摘み易くなっている。そのため、嵌合突起を摘むことによって、筐体の延出部の嵌合穴から、固定部材の延出部の嵌合突起を容易に取り外すことができる。一方、図１９に示すように、筐体４８０の延出部４８１における固定部材４９０と対向する面とは反対側の面４８１ａから、嵌合突起４９２，４９２が突出していない場合には、嵌合突起４９２，４９２の先端を摘み難くなっている。そのため、嵌合突起４９２，４９２を摘むことによって、筐体４８０の延出部４８１の嵌合凹部４８２から、固定部材４９０の延出部４９１の嵌合突起４９２，４９２を取り外し難くなっている。
【０２３７】
なお、ここでは、筐体４８０の延出部４８１に嵌合凹部４８２が設けられ、この嵌合凹部４８２に、固定部材４９０の延出部４９１に立設された嵌合突起４９２，４９２が嵌合されている場合を例示したが、本発明はこれに限定されるものではない。本発明にあっては、固定部材の延出部に嵌合凹部が設けられ、この嵌合凹部に、筐体の延出部における固定部材と対向する面に立設された嵌合突起が嵌合されていてもよい。
【０２３８】
図２０は、筐体の延出部と固定部材の延出部との嵌合構造の他の例を示す概略断面図である。この断面図は、例えば、図１２において、筐体の延出部と固定部材の延出部の厚さ方向に沿う断面図である。
図２０は、筐体５００の延出部５０１に、延出部５０１の厚さ方向に窪む嵌合凹部５０２が設けられ、この嵌合凹部５０２に、固定部材５１０の延出部５１１における筐体５００と対向する面（以下、「一方の面」と言う。）５１１ａに立設された嵌合突起５１２が嵌合されている状態を示している。筐体５００の嵌合凹部５０２の内部には、筐体５００の延出部５０１の厚さ方向とは垂直な方向に窪む凹部５０２ａが設けられ、この凹部５０２ａに、固定部材５１０の嵌合突起５１２の先端部に設けられた係止部５１２ａが係止されて、筐体５００に対して、固定部材５１０が固定されている。また、筐体５００の嵌合凹部５０２の開口部５０２ｂは、筐体５００の延出部５０１における固定部材５１０と対向する面５０１ａから、嵌合凹部５０２の内部に向かって幅が狭くなるテーパー形状をなしている。したがって、筐体５００の嵌合凹部５０２に、固定部材５１０の嵌合突起５１２を押し込む際には、嵌合凹部５０２の開口部５０２ｂが内側に撓んで、嵌合突起５１２を嵌合凹部５０２内に嵌入しやすくするが、一旦、嵌合凹部５０２内に嵌合突起５１２が嵌合した後は、嵌合凹部５０２から嵌合突起５１２が外れ難くなっている。
この例では、筐体５００の嵌合凹部５０２の内部に設けられた凹部５０２ａに、固定部材５１０の嵌合突起５１２の先端部に設けられた係止部５１２ａが係止されているので、嵌合凹部５０２に嵌合突起５１２を嵌合しても、筐体５００の延出部５０１における固定部材５１０と対向する面とは反対側の面５０１ｂから、嵌合突起５１２が突出しない。
【０２３９】
上述の実施形態のように、例えば、筐体の延出部に設けられた嵌合穴に、固定部材の延出部に設けられた嵌合突起を嵌合し、嵌合突起の先端が筐体における固定部材と対向する面とは反対側の面から突出している場合には、嵌合突起の先端を摘み易くなっている。そのため、嵌合突起を摘むことによって、筐体の延出部の嵌合穴から、固定部材の延出部の嵌合突起を容易に取り外すことができる。一方、図２０に示すように、筐体５００の延出部５０１における固定部材５１０と対向する面とは反対側の面５０１ｂから、嵌合突起５１２が突出していない場合には、嵌合突起５１２の先端を摘み難くなっている。そのため、嵌合突起５１２を摘むことによって、筐体５００の延出部５０１の嵌合凹部５０２から、固定部材５１０の延出部５１１の嵌合突起５１２を取り外し難くなっている。
【０２４０】
なお、ここでは、筐体５００の延出部５０１に嵌合凹部５０２が設けられ、この嵌合凹部５０２に、固定部材５１０の延出部５１１に立設された嵌合突起５１２が嵌合されている場合を例示したが、本発明はこれに限定されるものではない。本発明にあっては、固定部材の延出部に嵌合凹部が設けられ、この嵌合凹部に、筐体の延出部における固定部材と対向する面に立設された嵌合突起が嵌合されていてもよい。
【符号の説明】
【０２４１】
１０，７０，１１０，１４０，１８０，２２０，２６０，３００，３５０，３９０・・・ＩＣタグ
２０，８０，１５０，１９０，２３０，２７０，３１０，３６０，４００・・・筐体
４０，９０，１２０，１６０，２００，２４０，２８０，３３０，３７０，４２０・・・インレット
５０，１００，１７０，２１０，２５０，２９０，３４０，３８０，４３０・・・固定部材
６０・・・カゴ車
６１・・・載置台
６２，６３，６４・・・周壁部
６３Ｂ，６３Ｃ，６４Ｂ・・・側端部
６５・・・車輪
６６，６７・・・ヒンジ部材
６８・・・支持体
６９・・・ストッパー
【図１】
2014106890.tif 000003
【図２】
2014106890.tif 000004
【図３】
2014106890.tif 000005
【図４】
2014106890.tif 000006
【図５】
2014106890.tif 000007
【図６】
2014106890.tif 000008
【図７】
2014106890.tif 000009
【図８】
2014106890.tif 000010
【図９】
2014106890.tif 000011
【図１０】
2014106890.tif 000012
【図１１】
2014106890.tif 000013
【図１２】
2014106890.tif 000014
【図１３】
2014106890.tif 000015
【図１４】
2014106890.tif 000016
【図１５】
2014106890.tif 000017
【図１６】
2014106890.tif 000018
【図１７】
2014106890.tif 000019
【図１８】
2014106890.tif 000020
【図１９】
2014106890.tif 000021
【図２０】
2014106890.tif 000022